(57)【要約】本発明は、無線通信システムにおいて１対多サービスデータを伝送する制御セル及び隣接セルの物理チャネルの有効性を示す方法を提案し、前記方法は、前記それぞれのチャネルに関する設定情報を含むメッセージを生成する段階と、前記各チャネルに関する設定情報の有効性タイミングを得るために前記メッセージに有効性情報を含める段階と、前記制御セルを介して前記メッセージを移動端末１０に伝送する段階とを含み、さらに、本発明は、前記方法を実現するために利用される移動装置１０及び無線ネットワーク制御装置（Ｒａｄｉｏ  Ｎｅｔｗｏｒｋ  Ｃｏｎｔｒｏｌｌｅｒ：ＲＮＣ）１１１を提供する。
2008535311.tif 000002
【特許請求の範囲】
【請求項１】
現在の周期中に１対多サービス関連制御メッセージを受信する段階と、
タイミング指示が前記受信された制御メッセージに存在するか否かを判断する段階と、
タイミング指示が存在しない場合、前記受信された制御メッセージに含まれている設定実行のための情報を利用して次の週期に１対多サービスデータを受信するための物理チャネルの設定を行い、タイミング指示が存在する場合、前記受信された制御メッセージに含まれている設定実行のための情報を利用して前記タイミング指示によって１対多サービスデータを受信するための物理チャネルの設定を行う段階と、
を含むことを特徴とする１対多サービス受信方法。
【請求項２】
前記タイミング指示は、
１対多無線ベアラ再設定が行われるべきフレームの開始を示すシステムフレームナンバーを含むことを特徴とする請求項１に記載の１対多サービス受信方法。
【請求項３】
前記タイミング指示は、
１対多無線ベアラ再設定が行われるべきフレームの開始を示すシステムフレームナンバーの最下位ビットを含むことを特徴とする請求項１に記載の１対多サービス受信方法。
【請求項４】
前記タイミング指示は、
１対多無線ベアラ再設定が行われるフレームの開始を示す前記現在の周期が終了した後のフレーム又は伝送時間間隔の数を含むことを特徴とする請求項１に記載の１対多サービス受信方法。
【請求項５】
前記タイミング指示は、
マルチメディアブロードキャストマルチキャストサービス（ＭＢＭＳ）１対多アクティブ化時間であることを特徴とする請求項１に記載の１対多サービス受信方法。
【請求項６】
前記段階は、
現在のセル及び１つ以上の隣接セルからのデータを結合するときに行われることを特徴とする請求項１に記載の１対多サービス受信方法。
【請求項７】
前記データを結合する段階は、
選択結合及びソフト結合により行われることを特徴とする請求項６に記載の１対多サービス受信方法。
【請求項８】
前記段階は、
１対多サービスが前記現在のセルで開始する場合に行われることを特徴とする請求項１に記載の１対多サービス受信方法。
【請求項９】
前記段階は、
前記現在のセルで１対多サービスの再設定が発生した場合に行われることを特徴とする請求項１に記載の１対多サービス受信方法。
【請求項１０】
前記段階は、
隣接セルでセッション開始が発生した場合に行われることを特徴とする請求項１に記載の１対多サービス受信方法。
【請求項１１】
前記段階は、
隣接セルで再設定が発生した場合に行われることを特徴とする請求項１に記載の１対多サービス受信方法。
【請求項１２】
前記現在の周期及び次の週期は、
修正周期であることを特徴とする請求項１に記載の１対多サービス受信方法。
【請求項１３】
前記１対多サービスに関する制御情報は、
各修正周期中に修正されることを特徴とする請求項１２に記載の１対多サービス受信方法。
【請求項１４】
前記１対多サービスに関する制御情報は、
各修正周期中に繰り返し受信されることを特徴とする請求項１２に記載の１対多サービス受信方法。
【請求項１５】
前記制御メッセージは、
１対多制御チャネルで受信されることを特徴とする請求項１に記載の１対多サービス受信方法。
【請求項１６】
前記物理チャネルは、
Ｓ−ＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）であることを特徴とする請求項１に記載の１対多サービス受信方法。
【請求項１７】
前記物理チャネルの設定を行うための情報を含み、タイミング指示を選択的に含む１対多サービス関連制御メッセージを物理チャネルの有効性に基づいて生成する段階と、
前記制御メッセージを現在の周期間で伝送して移動端末が前記タイミング指示によって次の週期に前記物理チャネルの設定を行うようにする段階と、
前記設定された物理チャネルで前記移動端末に１対多サービスデータを伝送する段階と
を含むことを特徴とする１対多サービス提供方法。
【請求項１８】
前記タイミング指示は、
１対多無線ベアラ再設定が行われるべきフレームの開始を示すシステムフレームナンバーを含むことを特徴とする請求項１７に記載の１対多サービス提供方法。
【請求項１９】
前記タイミング指示は、
１対多無線ベアラ再設定が行われるべきフレームの開始を示すシステムフレームナンバーの最下位ビットを含むことを特徴とする請求項１７に記載の１対多サービス提供方法。
【請求項２０】
前記タイミング指示は、
１対多無線ベアラ再設定が行われるべきフレームの開始を示す現在の周期が終了した後のフレーム又は伝送時間間隔の数を含むことを特徴とする請求項１７に記載の１対多サービス提供方法。
【請求項２１】
前記タイミング指示は、
マルチメディアブロードキャストマルチキャストサービス（ＭＢＭＳ）１対多アクティブ化時間であることを特徴とする請求項１７に記載の１対多サービス提供方法。
【請求項２２】
前記段階は、
移動端末が現在のセル及び少なくとも１つの隣接セルからのデータを結合することができるようにするために行われることを特徴とする請求項１７に記載の１対多サービス提供方法。
【請求項２３】
前記データを結合する段階は、
選択結合及びソフト結合により行われることを特徴とする請求項２２に記載の１対多サービス提供方法。
【請求項２４】
前記段階は、
１対多サービスが前記現在のセルで開始する場合に行われることを特徴とする請求項１７に記載の１対多サービス提供方法。
【請求項２５】
前記段階は、
前記現在のセルで１対多サービスの再設定が発生した場合に行われることを特徴とする請求項１７に記載の１対多サービス提供方法。
【請求項２６】
前記段階は、
隣接セルでセッション開始が発生した場合に行われることを特徴とする請求項１７に記載の１対多サービス提供方法。
【請求項２７】
前記段階は、
隣接セルで再設定が発生した場合に行われることを特徴とする請求項１７に記載の１対多サービス提供方法。
【請求項２８】
前記現在の周期及び次の週期は、
修正周期であることを特徴とする請求項１７に記載の１対多サービス提供方法。
【請求項２９】
各修正周期の開始は、
前記１対多サービスに関する制御情報が修正されることを示すことを特徴とする請求項２８に記載の１対多サービス提供方法。
【請求項３０】
前記１対多サービスに関する制御情報は、
各修正周期中に繰り返し受信されることを特徴とする請求項２８に記載の１対多サービス提供方法。
【請求項３１】
前記制御メッセージは、
１対多制御チャネルで受信されることを特徴とする請求項１７に記載の１対多サービス提供方法。
【請求項３２】
前記物理チャネルは、
Ｓ−ＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）であることを特徴とする請求項１７に記載の１対多サービス提供方法。
【請求項３３】
ネットワークから１対多サービスデータを伝送する物理チャネルの有効性を示す情報を受信する段階と、
前記受信された情報に基づいて前記物理チャネルを設定するための適切なタイミングを決定する段階と、
前記決定されたタイミング及び設定の少なくとも１つによって前記物理チャネルを設定する段階と、
前記設定された物理チャネルで前記１対多サービスデータを受信する段階と
を含むことを特徴とする１対多サービス受信方法。
【請求項３４】
前記適切なタイミングは、
タイミング指示に関連していることを特徴とする請求項３３に記載の１対多サービス受信方法。
【請求項３５】
前記タイミング指示が前記情報に含まれている場合、
前記タイミング指示によって１対多サービスデータを受信するための前記物理チャネルの設定を行い、前記設定を行うための情報は、前記受信された制御メッセージに含まれることを特徴とする請求項３４に記載の１対多サービス受信方法。
【請求項３６】
前記タイミング指示が前記情報に含まれていない場合、
次の週期に１対多サービスデータを受信するための前記物理チャネルの設定を行い、前記設定を行うための情報は、前記受信された制御メッセージに含まれることを特徴とする請求項３４に記載の１対多サービス受信方法。
【請求項３７】
前記設定が未修正のサービスのためのものである場合、
１対多サービスを受信するための前記物理チャネルの設定を直ちに行うことを特徴とする請求項３３に記載の１対多サービス受信方法。
【請求項３８】
１対多サービスデータを伝送する物理チャネルの有効性を判断する段階と、
前記判断された物理チャネルの有効性を示す情報を移動端末に伝送する段階と、
前記伝送された情報から得られた適切なタイミングに前記移動端末と設定された前記物理チャネルで前記１対多サービスデータを前記移動端末に伝送する段階と
を含むことを特徴とする１対多サービス提供方法。
【請求項３９】
前記適切なタイミングは、
タイミング指示に関連していることを特徴とする請求項３８に記載の１対多サービス提供方法。
【請求項４０】
前記タイミング指示が前記情報に含まれている場合、
前記タイミング指示によって１対多サービスデータを受信するための前記物理チャネルの設定を行い、前記設定を行うための情報は、前記受信された制御メッセージに含まれることを特徴とする請求項３９に記載の１対多サービス提供方法。
【請求項４１】
前記タイミング指示が前記情報に含まれていない場合、
次の週期に１対多サービスデータを受信するための前記物理チャネルの設定を行い、前記設定を行うための情報は、前記受信された制御メッセージに含まれることを特徴とする請求項３９に記載の１対多サービス提供方法。
【発明の詳細な説明】
【技術分野】
【０００１】
本発明は、無線通信システムにおいてネットワークから移動端末に制御情報を伝送することに関し、より詳しくは、物理チャネル設定の有効性を示すことに関する。
【背景技術】
【０００２】
次の頭字語は、本発明の説明全般にわたって利用される。
【０００３】
ＢＣＣＨ（Ｂｒｏａｄｃａｓｔ  Ｃｏｎｔｒｏｌ  Ｃｈａｎｎｅｌ）、ＢＣＨ（Ｂｒｏａｄｃａｓｔ  Ｃｈａｎｎｅｌ）、ＢＭＣ（Ｂｒｏａｄｃａｓｔ／Ｍｕｌｔｉｃａｓｔ  Ｃｏｎｔｒｏｌ）、ＣＢ（Ｃｅｌｌ  Ｂｒｏａｄｃａｓｔ）、ＣＣＣＨ（Ｃｏｍｍｏｎ  Ｃｏｎｔｒｏｌ  Ｃｈａｎｎｅｌ）、ＣＮ（Ｃｏｒｅ  Ｎｅｔｗｏｒｋ）、ＣＲＮＣ（Ｃｏｎｔｒｏｌｌｅｄ  Ｐｈｙｓｉｃａｌ  Ｃｈａｎｎｅｌ  Ｒｅｃｏｎｆｉｇｕｒａｔｉｏｎ）、ＣＳ（Ｃｉｒｃｕｉｔ  Ｓｗｉｔｃｈｅｄ）、ＣＴＣＨ（Ｃｏｍｍｏｎ  Ｔｒａｆｆｉｃ  Ｃｈａｎｎｅｌ）、ＤＣＣＨ（Ｄｅｄｉｃａｔｅｄ  Ｃｏｎｔｒｏｌ  Ｃｈａｎｎｅｌ）、ＤＣＨ（Ｄｅｄｉｃａｔｅｄ  Ｃｈａｎｎｅｌ）、ＤＰＣＨ（Ｄｅｄｉｃａｔｅｄ  Ｐｈｙｓｉｃａｌ  Ｃｈａｎｎｅｌ）、ＤＰＤＳＣＨ（Ｄｅｄｉｃａｔｅｄ  Ｐｈｙｓｉｃａｌ  Ｄｏｗｎｌｉｎｋ  Ｓｈａｒｅｄ  Ｃｈａｎｎｅｌ）、ＤＳＣＨ（Ｄｏｗｎｌｉｎｋ  Ｓｈａｒｅｄ  Ｃｈａｎｎｅｌ）、ＤＴＣＨ（Ｄｅｄｉｃａｔｅｄ  Ｔｒａｆｆｉｃ  Ｃｈａｎｎｅｌ）、ＥＩＲ（Ｅｑｕｉｐｍｅｎｔ  Ｉｄｅｎｔｉｆｙ  Ｒｅｇｉｓｔｅｒ）、ＦＡＣＨ（Ｆｏｒｗａｒｄ  Ａｃｃｅｓｓ  Ｃｈａｎｎｅｌ）、ＦＤＤ（Ｆｒｅｑｕｅｎｃｙ  Ｄｉｖｉｓｉｏｎ  Ｃｏｍｂｉｎｉｎｇ）、ＧＧＳＮ（Ｇａｔｅｗａｙ  ＧＰＲＳ  Ｓｕｐｐｏｒｔ  Ｎｏｄｅ）、ＧＭＳＣ（Ｇａｔｅｗａｙ  Ｍｏｂｉｌｅ  Ｓｗｉｔｃｈｉｎｇ  Ｃｅｎｔｅｒ）、ＧＰＲＳ（Ｇｅｎｅｒａｌ  Ｐａｃｋｅｔ  Ｒａｄｉｏ  Ｓｅｒｖｉｃｅ）、ＨＦＮ（Ｈｙｐｅｒ  Ｆｒａｍｅ  Ｎｕｍｂｅｒ）、ＨＳＳ（Ｈｏｍｅ  Ｓｕｂｓｃｒｉｂｅｒ  Ｓｅｒｖｅｒ）、ＭＡＣ（Ｍｅｄｉｕｍ  Ａｃｃｅｓｓ  Ｃｏｎｔｒｏｌ）、ＭＢＭＳ（Ｍｕｌｔｉｍｅｄｉａ  Ｂｒｏａｄｃａｓｔ／Ｍｕｌｔｉｃａｓｔ  Ｓｅｒｖｉｃｅ）、ＭＣＣＨ（ＭＢＭＳ  ｐｏｉｎｔ−ｔｏ−ｍｕｌｔｉｐｏｉｎｔ  Ｃｏｎｔｒｏｌ  Ｃｈａｎｎｅｌ）、ＭＧＷ（Ｍｅｄｉａ  Ｇａｔｅｗａｙ）、ＭＩＢ（Ｍａｓｔｅｒ  Ｉｎｆｏｒｍａｔｉｏｎ  Ｂｌｏｃｋ）、ＭＩＣＨ（ＭＢＭＳ  Ｎｏｔｉｆｉｃａｔｉｏｎ  Ｉｎｄｉｃａｔｏｒ  Ｃｈａｎｎｅｌ）、ＭＳＣ（Ｍｏｂｉｌｅ  Ｓｗｉｔｃｈｉｎｇ  Ｃｅｎｔｒｅ）、ＭＳＣＨ（ＭＢＭＳ  Ｓｃｈｅｄｕｌｉｎｇ  Ｃｈａｎｎｅｌ）、ＭＴＣＨ（ＭＢＭＳ  ｐｏｉｎｔ−ｔｏ−ｍｕｌｔｉｐｏｉｎｔ  Ｔｒａｆｆｉｃ  Ｃｈａｎｎｅｌ）、ＯＳＩ（Ｏｐｅｎ  Ｓｙｓｔｅｍ  Ｉｎｔｅｒｃｏｎｎｅｃｔｉｏｎ）、ＰＣＣＨ（Ｐａｇｉｎｇ  Ｃｏｎｔｒｏｌ  Ｃｈａｎｎｅｌ）、ＰＣＣＰＣＨ（Ｐｒｉｍａｒｙ  Ｃｏｍｍｏｎ  Ｃｏｎｔｒｏｌ  Ｐｈｙｓｉｃａｌ  Ｃｈａｎｎｅｌ）、ＰＣＰＩＣＨ（Ｐｒｉｍａｒｙ  Ｃｏｍｍｏｎ  Ｐｉｌｏｔ  Ｃｈａｎｎｅｌ）、ＰＤＣＰ（Ｐａｃｋｅｔ  Ｄａｔａ  Ｃｏｎｖｅｒｇｅｎｃｅ  Ｐｒｏｔｏｃｏｌ）、ＰＤＳＣＨ（Ｐｈｙｓｉｃａｌ  Ｄｏｗｎｌｉｎｋ  Ｓｈａｒｅｄ  Ｃｈａｎｎｅｌ）、ＰＤＵ（Ｐｒｏｔｏｃｏｌ  Ｄａｔａ  Ｕｎｉｔ）、ＰＩＣＨ（Ｐａｇｉｎｇ  Ｉｎｄｉｃａｔｏｒ  Ｃｈａｎｎｅｌ）、ＰＬＭＮ（Ｐｕｂｌｉｃ  Ｌａｎｄ  Ｍｏｂｉｌｅ  Ｎｅｔｗｏｒｋ）、ＰＭＭ（Ｐａｃｋｅｔ  Ｍｏｂｉｌｉｔｙ  Ｍａｎａｇｅｍｅｎｔ）、ＰＳ（Ｐａｃｋｅｔ  Ｓｗｉｔｃｈｅｄ）、ＰＳＴＮ（Ｐｕｂｌｉｃ  Ｓｗｉｔｃｈｅｄ  Ｔｅｌｅｐｈｏｎｅ  Ｎｅｔｗｏｒｋ）、ＰｔＭ（Ｐｏｉｎｔ−ｔｏ−ｍｕｌｔｉｐｏｉｎｔ  ｔｒａｎｓｍｉｓｓｉｏｎ）、ＲＡＢ（Ｒａｄｉｏ  Ａｃｃｅｓｓ  Ｂｅａｒｅｒ）、ＲＡＣＨ（Ｒａｄｉｏ  Ａｃｃｅｓｓ  Ｃｈａｎｎｅｌ）、ＲＡＮ（Ｒａｄｉｏ  Ａｃｃｅｓｓ  Ｎｅｔｗｏｒｋ）、ＲＡＴ（Ｒａｄｉｏ  Ａｃｃｅｓｓ  Ｔｅｃｈｎｏｌｏｇｙ）、ＲＬＣ（Ｒａｄｉｏ  Ｌｉｎｋ  Ｃｏｎｔｒｏｌ）、ＲＮＣ（Ｒａｄｉｏ  Ｎｅｔｗｏｒｋ  Ｃｏｎｔｒｏｌｌｅｒ）、ＲＮＳ（Ｒａｄｉｏ  Ｎｅｔｗｏｒｋ  Ｓｕｂ−ｓｙｓｔｅｍｓ）、ＲＲＣ（Ｒａｄｉｏ  Ｒｅｓｏｕｒｃｅ  Ｃｏｎｔｒｏｌ）、ＳＡＰ（Ｓｅｒｖｉｃｅ  Ａｃｅｓｓ  Ｐｏｉｎｔ）、ＳＣＣＨ（Ｓｈａｒｅｄ  Ｃｏｎｔｒｏｌ  Ｃｈａｎｎｅｌ）、ＳＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）、ＳＤＵ（Ｓｅｒｖｉｃｅ  Ｄａｔａ  Ｕｎｉｔ）、ＳＦＮ（Ｓｙｓｔｅｍ  Ｆｒａｍｅ  Ｎｕｍｂｅｒ）、ＳＧＳＮ（Ｓｅｒｖｉｎｇ  ＧＰＲＳ  Ｓｅｒｖｉｃｅ  Ｎｏｄｅ）、ＳＩＢ（Ｓｙｓｔｅｍ  Ｉｎｆｏｒｍａｔｉｏｎ  Ｂｌｏｃｋ）、ＳＮ（Ｓｅｑｕｅｎｃｅ  Ｎｕｍｂｅｒ）、ＳＲＮＣ（Ｓｅｒｖｉｎｇ  Ｒａｄｉｏ  Ｎｅｔｗｏｒｋ  Ｃｏｎｔｒｏｌｌｅｒ）、ＴＤＤ（Ｔｉｍｅ−Ｄｉｖｉｓｉｏｎ  Ｄｕｐｌｅｘｉｎｇ）、ＴＴＩ（Ｔｒａｎｓｍｉｓｓｉｏｎ  Ｔｉｍｅ  Ｉｎｔｅｒｖａｌ）、ＵＥ（Ｕｓｅｒ  Ｅｑｕｉｐｍｅｎｔ）、ＵＴＲＡＮ（ＵＭＴＳ  Ｔｅｒｒｅｓｔｒｉａｌ  Ｒａｄｉｏ  Ａｃｃｅｓｓ）、Ｗ−ＣＤＭＡ（ｗｉｄｅｂａｎｄ  ｃｏｄｅ  ｄｉｖｉｓｉｏｎ  ｍｕｌｔｉｐｌｅ  ａｃｃｅｓｓ）。
【０００４】
最近、移動通信システムが非常に発達してきたが、大容量データ通信サービスにおいては、移動通信システムの性能が従来の有線通信システムの性能に至っていない。これにより、大容量データ通信を可能にする通信システムであるＩＭＴ−２０００の技術的発達が行われ、このような技術を標準化するための努力が様々な国や組織間で活発に行われている。
【０００５】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、欧州標準であるＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）から進化した第３世代移動通信システムであり、ＧＳＭコアネットワークとＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）無線接続技術を基盤としてより向上した無線通信サービスの提供を目標とする。
【０００６】
ＵＭＴＳ技術の標準化作業のために１９９８年１２月にヨーロッパのＥＴＳＩ、日本のＡＲＩＢ／ＴＴＣ、米国のＴ１、及び韓国のＴＴＡなどは、第３世代移動体通信システムの標準化プロジェクト（Ｔｈｉｒｄ  Ｇｅｎｅｒａｔｉｏｎ  Ｐａｒｔｎｅｒｓｈｉｐ  Ｐｒｏｊｅｃｔ：  ３ＧＰＰ）というプロジェクトを構成し、現在もＵＭＴＳ技術の詳細な標準仕様（Ｓｐｅｃｉｆｉｃａｔｉｏｎ）を作成中である。
【０００７】
ＵＭＴＳの効果的で迅速な技術開発のために、３ＧＰＰでは、ネットワーク構成要素とこれらの動作の独立性を考慮して、ＵＭＴＳの標準化作業を５つの技術規格グループ（Ｔｅｃｈｎｉｃａｌ  Ｓｐｅｃｉｆｉｃａｔｉｏｎ  Ｇｒｏｕｐｓ：  ＴＳＧ）に分けて進めている。
【０００８】
各ＴＳＧは、関連したエリア内で標準規格の開発、承認、及びその管理を担当するが、そのうち、無線アクセスネットワーク（Ｒａｄｉｏ  Ａｃｃｅｓｓ  Ｎｅｔｗｏｒｋ：  ＲＡＮ）グループ（ＴＳＧ  ＲＡＮ）は、ＵＭＴＳにおいてＷＣＤＭＡ接続技術をサポートするための新しい無線アクセスネットワークであるＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）の機能、要求事項、及びインタフェースに関する規格を開発する。
【０００９】
図１は、一般のＵＭＴＳの基本的なネットワークの構造を示す図である。図１に示すように、前記ＵＭＴＳは、端末又は使用者装置（ＵＥ）１０、ＵＴＲＡＮ１００、及びコアネットワーク（ＣＮ）２００から構成される。
【００１０】
前記ＵＴＲＡＮ１００は、１つ以上の無線ネットワークサブシステム（Ｒａｄｉｏ  Ｎｅｔｗｏｒｋ  Ｓｕｂｓｙｓｔｅｍｓ：ＲＮＳ）１１０、１２０から構成される。各ＲＮＳ１１０、１２０は、無線ネットワーク制御装置（Ｒａｄｉｏ  Ｎｅｔｗｏｒｋ  Ｃｏｎｔｒｏｌｌｅｒ：ＲＮＣ）１１１、並びにＩｕｂインタフェースを介して前記ＲＮＣ１１１により管理される複数の基地局もしくはＮｏｄｅ  Ｂ１１２、１１３を含む。前記ＲＮＣ１１１は、無線リソースの割り当て及び管理を担当し、前記コアネットワーク２００とのアクセスポイントの役割を果たす。前記ＲＮＣ１１１は、Ｉｕｂインタフェースで互いに接続される。
【００１１】
各Ｎｏｄｅ  Ｂ１１２、１１３は、アップリンクを介して端末の物理層により伝送された情報を受信し、ダウンリンクを介して前記端末にデータを転送する。各Ｎｏｄｅ  Ｂ１１２、１１３は、端末のためのＵＴＲＡＮのアクセスポイントの役割を果たす。各Ｎｏｄｅ  Ｂ１１２、１１３は、１つ又は複数のセルを制御し、１つのセルは、所定周波数上で所定地理的領域を管理する。
【００１２】
前記ＵＴＲＡＮ１００の主要機能は、前記端末とコアネットワーク２００間の通信のために無線接続ベアラ（Ｒａｄｉｏ  Ａｃｃｅｓｓ  Ｂｅａｒｅｒ：ＲＡＢ）を構成して維持することである。前記コアネットワーク２００は、エンドツーエンドサービス品質（Ｑｕａｌｉｔｙ  ｏｆ  Ｓｅｒｖｉｃｅ：  ＱｏＳ）要求事項をＲＡＢに申請し、該当ＲＡＢは、コアネットワーク２００が設定したＱｏＳ要求事項をサポートする。従って、前記ＵＴＲＡＮ１００は、ＲＡＢを構成して維持することにより、エンドツーエンドＱｏＳ要求事項を満たすことができる。前記ＲＡＢサービスは、Ｉｕベアラサービスと無線ベアラサービスにさらに分類される。前記Ｉｕベアラサービスは、前記ＵＴＲＡＮ１００とコアネットワーク２００との間の境界ノードにおける使用者データの信頼できる伝送をサポートする。
【００１３】
前記コアネットワーク２００は、互いに接続されて回線交換（Ｃｉｒｃｕｉｔ  Ｓｗｉｔｃｈｅｄ：ＣＳ）サービスをサポートする移動交換局（Ｍｏｂｉｌｅ  Ｓｗｉｔｃｈｉｎｇ  Ｃｅｎｔｅｒ：ＭＳＣ）２１０及びメディアゲートウェイ（ＭＧＷ）２２０、並びに互いに接続されてパケット交換（Ｐａｃｋｅｔ  Ｓｗｉｔｃｈｅｄ：ＰＳ）サービスをサポートするサービングＧＰＲＳサポートノード（ＳＧＳＮ）２３０及びゲートウェイＧＰＲＳサポートノード２４０を備える。
【００１４】
特定端末に提供されるサービスは、回線交換（ＣＳ）サービスとパケット交換（ＰＳ）サービスとに大別される。例えば、一般的な音声通話サービスは回線交換サービスであり、インターネット接続によるウェブブラウジングサービスはパケット交換サービスに分類される。
【００１５】
ネットワーク構成要素間には多様なタイプのインタフェースが存在し、相互通信時に前記ネットワーク構成要素間の情報の送受信を可能にする。前記ＲＮＣ１１１とコアネットワーク２００間のインタフェースはＩｕインタフェースと定義される。各ＲＮＣは、前記Ｉｕインタフェースでコアネットワーク２００と接続される。特に、パケット交換システムの場合、前記ＲＮＣ１１１とコアネットワーク２００間のＩｕインタフェースを「Ｉｕ−ＰＳ」と定義し、回線交換システムの場合、前記ＲＮＣ１１１とコアネットワーク２００間のＩｕインタフェースを「Ｉｕ−ＣＳ」と定義する。
【００１６】
前記ＣＳサービスをサポートする場合、前記ＲＮＣ１１１は、前記コアネットワーク２００のＭＳＣ２１０に接続され、前記ＭＳＣ２１０は、インタフェースＮｂで他のネットワークとの接続を管理するＭＧＷ２２０に接続される。前記ＭＧＷ２２０は、ＰＳＴＮ（Ｐｕｂｌｉｃ  Ｓｗｉｔｃｈｅｄ  Ｔｅｌｅｐｈｏｎｙ  Ｎｅｔｗｏｒｋ）と接続されたＲＡＮ（Ｒａｄｉｏ  Ａｃｃｅｓｓ  Ｎｅｔｗｏｒｋ）間でコーデックを利用するためにＰＳＴＮと接続される。前記ＰＳサービスをサポートする場合、前記ＲＮＣ１１１は、前記コアネットワーク２００のＳＧＳＮ２３０及びＧＧＳＮ２４０に接続される。前記ＳＧＳＮ２３０は、前記ＲＮＣ１１１へのパケット通信をサポートし、前記ＧＧＳＮ２４０は、インタフェースＧｉを介してインターネットのような他のパケット交換ネットワークとの接続を管理する。前記ＧＧＳＮ２４０は、異なるＲＡＢへのデータフローのルーティング、課金、及び分離を担当する。前記ＳＧＳＮは、ＧＳインタフェースを介してＭＳＣと接続され、ＧＮインタフェースを介してＧＧＳＮと接続される。前記ＳＧＳＮ２３は、ＥＩＲ及びＨＳＳ（図示せず）にそれぞれのインタフェースを介して接続される。前記ＭＳＣ２１０は、それぞれのインタフェースによりＥＩＲ及びＨＳＳと接続される。前記ＭＧＷ２２０は、インタフェースにより前記ＨＳＳと接続される。前記ＧＧＳＮ２４０は、インタフェースによりＨＳＳに接続され、前記ＥＩＲは、ネットワーク上で使用が許可されている、又は許可されていないモバイルのリストを管理する。前記ＨＳＳは、ユーザの加入データを管理する。
【００１７】
図２は、３ＧＰＰ無線接続ネットワーク標準に準拠した端末とＵＴＲＡＮ間の無線インタフェースプロトコルの構造を示す。
【００１８】
図２に示すように、前記無線インタフェースプロトコルは、水平的には物理層と、データリンク層と、ネットワーク層とから構成され、垂直的にはユーザデータの転送のためのユーザプレーン（Ｕｓｅｒ  Ｐｌａｎｅ：  Ｕ−ｐｌａｎｅ）と、制御情報の転送のための制御プレーン（Ｃｏｎｔｒｏｌ  Ｐｌａｎｅ：  Ｃ−ｐｌａｎｅ）とから構成される。
【００１９】
前記ユーザプレーンは、音声やＩＰパケットのようなユーザのトラヒック情報を取り扱う領域であり、前記制御プレーンは、ネットワークのインタフェース、呼の維持及び管理などに関する制御情報を取り扱う領域である。
【００２０】
図２のプロトコル層は、開放型システム間相互接続（Ｏｐｅｎ  Ｓｙｓｔｅｍ  Ｉｎｔｅｒｃｏｎｎｅｃｔｉｏｎ：  ＯＳＩ）参照モデルの下位３層に基づいて第１層Ｌ１、第２層Ｌ２、第３層Ｌ３に区分される。以下、各層を詳細に説明する。
【００２１】
第１層Ｌ１、すなわち、物理層は、多様な無線伝送技術を利用して上位層に情報転送サービス（Ｉｎｆｏｒｍａｔｉｏｎ  Ｔｒａｎｓｆｅｒ  Ｓｅｒｖｉｃｅ）を提供し、上位層である媒体アクセス制御（Ｍｅｄｉａ  Ａｃｃｅｓｓ  Ｃｏｎｔｒｏｌ：  ＭＡＣ）層にトランスポートチャネル（Ｔｒａｎｓｐｏｒｔ  Ｃｈａｎｎｅｌ）で接続される。前記トランスポートチャネルで前記ＭＡＣ層と物理層との間にデータが送受信される。
【００２２】
第２層Ｌ２は、ＭＡＣ層、無線リンク制御（Ｒａｄｉｏ  Ｌｉｎｋ  Ｃｏｎｔｒｏｌ：  ＲＬＣ）層、ブロードキャスト／マルチキャスト制御（Ｂｒｏａｄｃａｓｔ／Ｍｕｌｔｉｃａｓｔ  Ｃｏｎｔｒｏｌ：ＢＭＣ）層、パケットデータコンバージェンスプロトコル（Ｐａｃｋｅｔ  Ｄａｔａ  Ｃｏｎｖｅｒｇｅｎｃｅ  Ｐｒｏｔｏｃｏｌ：ＰＤＣＰ）層を含む。
【００２３】
前記ＭＡＣ層は、論理チャネルとトランスポートチャネル間のマッピングを管理する。前記ＭＡＣ層は、無線リソースの割り当て及び再割り当てのためのＭＡＣパラメータの割り当てサービスを提供し、上位層であるＲＬＣ層と論理チャネルで接続される。
【００２４】
転送情報の種類によって多様な論理チャネルが提供される。一般に、制御プレーンの情報を転送する場合は制御チャネルｃｔｒｌが利用され、ユーザプレーンの情報を転送する場合はトラヒックチャネルが利用される。論理チャネルは、その論理チャネルを共有しているか否かによって共通チャネル（Ｃｏｍｍｏｎ  Ｃｈａｎｎｅｌ）又は専用チャネル（Ｄｅｄｉｃａｔｅｄ  Ｃｈａｎｎｅｌ）になる。前記論理チャネルは、専用トラヒックチャネル（Ｄｅｄｉｃａｔｅｄ  Ｔｒａｆｆｉｃ  Ｃｈａｎｎｅｌ：  ＤＴＣＨ）、専用制御チャネル（Ｄｅｄｉｃａｔｅｄ  Ｃｏｎｔｒｏｌ  Ｃｈａｎｎｅｌ：  ＤＣＣＨ）、共通トラヒックチャネル（Ｃｏｍｍｏｎ  Ｔｒａｆｆｉｃ  Ｃｈａｎｎｅｌ：  ＣＴＣＨ）、共通制御チャネル（Ｃｏｍｍｏｎ  Ｃｏｎｔｒｏｌ  Ｃｈａｎｎｅｌ：  ＣＣＣＨ）、ブロードキャスト制御チャネル（Ｂｒｏａｄｃａｓｔ  Ｃｏｎｔｒｏｌ  Ｃｈａｎｎｅｌ：  ＢＣＣＨ）、並びにページング制御チャネル（Ｐａｇｉｎｇ  Ｃｏｎｔｒｏｌ  Ｃｈａｎｎｅｌ：  ＰＣＣＨ）もしくはＳＨＣＣＨ（Ｓｈａｒｅｄ  Ｃｈａｎｎｅｌ  Ｃｏｎｔｒｏｌ  Ｃｈａｎｎｅｌ）を含む。前記ＢＣＣＨは、システムにアクセスするために、端末が活用する情報を含む情報を提供する。前記ＰＣＣＨは、端末にアクセスするためにＵＴＲＡＮによって使用される。
【００２５】
ＭＢＭＳ（又は、ＭＢＭＳサービス）とは、１対多（Ｐｏｉｎｔ−ｔｏ−ｍｕｌｔｉｐｏｉｎｔ）無線ベアラ及び１対１（Ｐｏｉｎｔ−ｔｏ−ｐｏｉｎｔ）無線ベアラの少なくとも１つを活用するダウンリンク専用ＭＢＭＳ無線ベアラを利用して複数のＵＥにストリーミング又はバックグラウンドサービスを提供する方法をいう。ＭＢＭＳは、この仕様書のＲｅｌｅａｓｅ  ６のＵＭＴＳ標準に記載されているものであり、１対多伝送、選択結合（ｓｅｌｅｃｔｉｖｅ  ｃｏｍｂｉｎｉｎｇ）、及び１対多ベアラと１対１ベアラ間の伝送モード選択などのＵＴＲＡで最適化されたＭＢＭＳベアラサービス伝送のための技術が記載されている。これは、同一のコンテンツが複数のユーザに伝送されるときに無線リソースを節約するために利用され、テレビのようなサービスを可能にする。１つのＭＢＭＳサービスは、１つ以上のセッションを含み、ＭＢＭＳデータは、セッション中にのみＭＢＭＳ無線ベアラを介して複数の端末に伝送される。
【００２６】
ＭＢＭＳは、その名称から分かるように、ブロードキャストモード又はマルチキャストモードで行われる。前記ブロードキャストモードは、ブロードキャスト領域、例えば、ブロードキャストサービスが利用可能なドメイン内の全てのＵＥにマルチメディアデータを送信するためのモードである。前記マルチキャストモードは、マルチキャスト領域、例えば、マルチキャストサービスが利用可能なドメイン内の特定ＵＥグループにマルチメディアデータを送信するためのモードである。
【００２７】
ＭＢＭＳの目的のために、トラヒック及び制御チャネルがさらに存在する。例えば、ＭＣＣＨ（ＭＢＭＳ  ｐｏｉｎｔ−ｔｏ−ｍｕｌｔｉｐｏｉｎｔ  Ｃｏｎｔｒｏｌ  Ｃｈａｎｎｅｌ）を使用してＭＢＭＳ制御情報を伝送し、ＭＴＣＨ（ＭＢＭＳ  ｐｏｉｎｔ−ｔｏ−ｍｕｌｔｉｐｏｉｎｔ  Ｔｒａｆｆｉｃ  Ｃｈａｎｎｅｌ）を使用してＭＢＭＳサービスデータを伝送し、ＭＳＣＨを使用してスケジューリング情報を伝送する。ＭＣＣＨスケジュールは、全てのサービスに共通する。
【００２８】
異なる論理チャネルのリストを下記のように示すことができる。
【００２９】
制御チャネルＣＣＨ：ＢＣＣＨ、ＰＣＣＨ、ＤＣＣＨ、ＣＣＣＨ、ＳＨＣＣＨ、及びＭＣＣＨ
トラフィックチャネルＴＣＨ：ＤＴＣＨ、ＣＴＣＨ、及びＭＴＣＨ
前記ＭＡＣ層は、トランスポートチャネルにより物理層と接続され、管理するトランスポートチャネルの種類によってＭＡＣ−ｂサブレイヤ、ＭＡＣ−ｄサブレイヤ、ＭＡＣ−ｃ／ｓｈサブレイヤ、ＭＡＣ−ｈｓサブレイヤに区分される。
【００３０】
前記ＭＡＣ−ｂサブレイヤは、システム情報のブロードキャストを担当するトランスポートチャネルであるブロードキャストチャネル（Ｂｒｏａｄｃａｓｔ  Ｃｈａｎｎｅｌ：  ＢＣＨ）を管理する。前記ＭＡＣ−ｄサブレイヤは、特定端末機のための専用トランスポートチャネルである専用チャネル（Ｄｅｄｉｃａｔｅｄ  Ｃｈａｎｎｅｌ：  ＤＣＨ）を管理する。従って、ＵＴＲＡＮのＭＡＣ−ｄサブレイヤは、該当端末を管理するＳＲＮＣ（Ｓｅｒｖｉｎｇ  Ｒａｄｉｏ  Ｎｅｔｗｏｒｋ  Ｃｏｎｔｒｏｌｌｅｒ）に位置し、１つのＭＡＣ−ｄサブレイヤが各端末内に存在する。
【００３１】
前記ＭＡＣ−ｃ／ｓｈサブレイヤは、複数の端末機と共有するフォワードアクセスチャネル（Ｆｏｒｗａｒｄ  Ａｃｃｅｓｓ  Ｃｈａｎｎｅｌ：  ＦＡＣＨ）もしくはダウンリンク共有チャネル（Ｄｏｗｎｌｉｎｋ  Ｓｈａｒｅｄ  Ｃｈａｎｎｅｌ：  ＤＳＣＨ）のような共通トランスポートチャネル、又はアップリンクでＲＡＣＨ（Ｒａｄｉｏ  Ａｃｃｅｓｓ  Ｃｈａｎｎｅｌ）を管理する。ＵＴＲＡＮにおいて、前記ＭＡＣ−ｃ／ｓｈサブレイヤは、ＣＲＮＣ（Ｃｏｎｔｒｏｌｌｉｎｇ  Ｒａｄｉｏ  Ｎｅｔｗｏｒｋ  Ｃｏｎｔｒｏｌｌｅｒ）内に位置する。前記ＭＡＣ−ｃ／ｓｈサブレイヤがセル領域内の全ての端末が共有しているチャネルを管理するので、各セル領域内には１つのＭＡＣ−ｃ／ｓｈサブレイヤが存在する。また、１つのＭＡＣ−ｃ／ｓｈサブレイヤは、各端末（ＵＥ）にも存在する。ＭＡＣ−ｍサブレイヤは、前記ＭＢＭＳデータを管理する。
【００３２】
図３は、ＵＥの観点から論理チャネルとトランスポートチャネル間の可能なマッピングを示し、図４は、ＵＴＲＡＮの観点から論理チャネルとトランスポートチャネル間の可能なマッピングを示す。
【００３３】
前記ＲＬＣ層は、信頼性のあるデータの伝送をサポートし、上位層から伝送された複数のＲＬＣサービスデータユニット（Ｓｅｒｖｉｃｅ  Ｄａｔａ  Ｕｎｉｔ：ＳＤＵ）の分割及び連結機能を果たす。上位層から前記ＲＬＣ  ＳＤＵを受信すると、前記ＲＬＣ層は、処理容量に応じた適切な方法によってそれぞれのＲＬＣ  ＳＤＵのサイズを調節した後、ヘッダ情報を加えて所定のデータユニットを生成する。前記生成されたデータユニットは、プロトコルデータユニット（Ｐｒｏｔｏｃｏｌ  Ｄａｔａ  Ｕｎｉｔ：ＰＤＵ）と呼ばれ、論理チャネルで前記ＭＡＣ層に伝送される。前記ＲＬＣ層は、前記ＲＬＣ  ＳＤＵ及び／又はＲＬＣ  ＰＤＵを保存するためのＲＬＣバッファを含む。
【００３４】
ＢＭＣ層は、前記コアネットワークから受信されたセルブロードキャスト（Ｃｅｌｌ  Ｂｒｏａｄｃａｓｔ：  ＣＢ）メッセージをスケジューリングし、前記ＣＢメッセージを特定セルに位置するＵＥにブロードキャストする。ＵＴＲＡＮのＢＭＣ層は、上位層から受信されたＣＢメッセージに、メッセージＩＤ、シリアルナンバー、符号化方式（ｃｏｄｉｎｇ  ｓｃｈｅｍｅ）などの情報を加えてＢＭＣメッセージを形成した後、ＲＬＣ層に伝送する。前記ＢＭＣメッセージは、論理チャネルであるＣＴＣＨ（Ｃｏｍｍｏｎ  ｔｒａｆｆｉｃ  ｃｈａｎｎｅｌ）でＲＬＣ層からＭＡＣ層に伝送される。前記ＣＴＣＨは、トランスポートチャネルであるＦＡＣＨにマッピングされ、前記ＦＡＣＨは、物理チャネルであるＳ−ＣＣＰＣＨ（Ｓｅｃｏｎｄａｒｙ  ｃｏｍｍｏｎ  ｃｏｎｔｒｏｌ  ｐｈｙｓｉｃａｌ  ｃｈａｎｎｅｌ）にマッピングされる。
【００３５】
ＲＬＣ層の上位層であるパケットデータコンバージェンスプロトコル（ＰＤＣＰ）層は、ＩＰｖ４やＩＰｖ６のようなネットワークプロトコルで伝送されるデータを相対的に狭い帯域幅を有する無線インタフェース上で効率的に伝送するために使用される。このために、前記ＰＤＣＰ層は、有線ネットワークにおいて使用される不必要な制御情報を減らす機能を果たし、この機能をヘッダ圧縮と言う。
【００３６】
無線リソース制御（Ｒａｄｉｏ  Ｒｅｓｏｕｒｃｅ  Ｃｏｎｔｒｏｌ：ＲＲＣ）層は、第３層Ｌ３の最下部に位置し、制御プレーンにおいてのみ定義される。前記ＲＲＣ層は、無線ベアラ（Ｒａｄｉｏ  Ｂｅａｒｅｒ：  ＲＢ）の設定、再設定、及び解除に関連して論理チャネル、トランスポートチャネル及び物理チャネルの制御を担当する。前記無線ベアラサービスは、端末とＵＴＲＡＮ間のデータ伝送のために第２層Ｌ２により提供されるサービスである。一般に、無線ベアラの設定とは、特定データサービスの提供のために必要なプロトコル層とチャネルの特性を規定し、前記サービスに対する具体的なパラメータ及び動作方法を設定する過程を意味する。また、前記ＲＲＣは、前記無線接続ネットワークにおけるユーザの移動性及びロケーションサービスなどの付加サービスを管理する。
【００３７】
無線ベアラとトランスポートチャネル間のマッピングが異なる可能性が常に成立するわけではない。ＵＥ／ＵＴＲＡＮは、ＵＥの状態やＵＥ／ＵＴＲＡＮが現在行っている過程によって可能なマッピングを推定する。異なる状態やモードについての説明は、次の通りである。
【００３８】
異なるトランスポートチャネルは、異なる物理チャネルにマッピングされる。例えば、ＲＡＣＨトランスポートチャネルは所定のＰＲＡＣＨに、ＤＣＨはＤＰＣＨに、ＦＡＣＨ及びＰＣＨはＳ−ＣＣＰＣＨに、ＤＳＣＨはＰＤＳＣＨにマッピングできる。物理チャネルの設定は、ＲＮＣとＵＥ間のＲＲＣシグナル交換により行われる。
【００３９】
下記の説明においては、ＭＴＣＨを伝送するＳ−ＣＣＰＣＨの開始及び再構成について記述する。サービスの中断は、特定再構成とみなされる。すなわち、Ｓ−ＣＣＰＣＨは、ヌル設定を有する。
【００４０】
従来の技術によると、ＵＥがＰｔＭモードで伝送されたサービスの設定を読み取ると、前記ＵＥは、直ちにこの設定が有効であるとみなす。前記ＵＥは、次の２つのメッセージ、すなわち、ＭＢＭＳ未修正サービス情報（ＭＢＭＳ  Ｕｎｍｏｄｉｆｉｅｄ  ｓｅｒｖｉｃｅ  Ｉｎｆｏｒｍａｔｉｏｎ）メッセージ又はＭＢＭＳ修正サービス情報（ＭＢＭＳ  Ｍｏｄｉｆｉｅｄ  ｓｅｒｖｉｃｅ  Ｉｎｆｏｒｍａｔｉｏｎ）のうちの１つによりアクティブなサービスのリストを受信する。このようなメッセージは、このサービスを受信しようとするＵＥが特定動作を行わなければならないことを示すが、例えば、集計（ｃｏｕｎｔｉｎｇ）目的のための情報取得、ＰｔＭ無線ベアラの設定に関する情報取得、ＰＭＭ接続設定、ＰｔＭ無線ベアラ受信中断などの動作である。ネットワーク面で、前記設定が所定サービスに対して変更される場合、ＵＥがＰｔＭ無線ベアラの設定に関する情報を取得しなければならないことを示す前記ＭＢＭＳ修正サービス情報メッセージにより予め１つの修正周期中にＭＣＣＨ上に新しい設定を示すことにより、前記ＵＥが初期から前記再設定されたチャネルを受信することができる。従って、ＵＥが考慮する設定とネットワークによるその効果的利用間には遅延が発生する。
【００４１】
図１０は、１つのセルの設定プロトコルを示す。この場合、サービスは現在のセル（前記現在のセルは、制御セル、すなわち、ＵＥによりＭＣＣＨが考慮されるセルである）で開始し、いずれの設定問題も発生しない。実際に、ＭＴＣＨとＭＣＣＨ間のタイミングオフセット（ＭＩＣＨ及びＭＣＣＨが異なるＳ−ＣＣＰＣＨにマッピングされるときの異なるタイミングオフセットにより発生する）は変化しない。しかし、ＭＣＣＨの修正周期がＭＴＣＨを伝送するＳ−ＣＣＰＣＨのフレーム境界に完全に整合されていないとき、どのフレームを考慮するかが明確でない。
【００４２】
図１１に示す進行中の再設定は、より多くの問題が発生する。修正周期１（Ｍｏｄｉｆｉｃａｔｉｏｎ  Ｐｅｒｉｏｄ  １）中に、セルＡのサービスＳのＰｔＭ設定Ｓ１が未修正サービスとしてＭＣＣＨで伝送される。同時に、前記サービスＳは、前記設定Ｓ１を有して前記セルＡに伝送される。ＵＴＲＡＮは、前記設定をＳ１からＳ２に変更しようとする。従って、ＵＴＲＡＮは、修正周期２中にＭＣＣＨでサービスＳを伝送するＳ−ＣＣＰＣＨの新しい設定Ｓ２を修正されたサービスとしてブロードキャストする。前記修正周期２中に、前記サービスＳを伝送するＭＴＣＨは、依然として設定Ｓ１を利用する。しかし、修正周期２中に所定フレームにおいて、ＵＥは、設定Ｓ２の使用を開始する。修正周期３で、前記設定Ｓ２を未修正サービスとしてブロードキャストするためにＭＣＣＨが利用される。従って、修正周期３が開始するまで、ＵＥは、ＭＣＣＨに対して誤った設定を利用する。
【００４３】
再設定が進行中で、かつＵＥは新しい設定がＭＣＣＨでブロードキャストされる修正周期２中に前記ＭＣＣＨの受信を開始する場合、前記ＵＥは、現在の修正周期中には前記ＭＴＣＨの設定について認知できない。また、前記ＵＥは、この周期中にＭＴＣＨを正確に受信することもできない。
【００４４】
範囲拡大のために、異なるセル間に位置するＵＥは、同時に異なるセルから同一のＭＢＭＳサービスを受信することができ、図９に示すように、受信された情報を結合することもできる。この場合、ＵＥは、ＵＥが選択した１つの制御セルからＭＣＣＨを読み取る。このようなセルを本発明の以下では制御セルという。
【００４５】
従来の技術において、このようなセルのＭＣＣＨ整合に対する制限が存在しない。これは、隣接セル（例えば、制御セルと前記制御セルの隣接セルのうちの１つ）のＭＣＣＨの修正周期が異なることを意味し、また、隣接セルでの各修正周期の開始が異なることを意味する。これは、異なるＮｏｄｅＢのクロックドリフト（ｃｌｏｃｋ  ｄｒｉｆｔ）によって自然に発生するが、例えば、１つのＮｏｄｅＢは、他のＮｏｄｅＢより早く進む。
【００４６】
ＭＩＣＨ伝送に対する異なるサービス間の同期化を維持するために、最も遅いＮｏｄｅ  Ｂと最も進んだＮｏｄｅ  Ｂ間の時間差が１つのＴＴＩを超える場合、図１２に示すように、時々空の（ｅｍｐｔｙ）ＴＴＩを挿入することによりＳ−ＣＣＰＣＨのスケジューリングを管理するＲＮＣにより２つのＮｏｄｅ  Ｂ間のクロックドリフトが容易に調節できる。しかし、ＭＣＣＨの修正周期の同期化は、容易に解決されない。これは、ＭＣＣＨ伝送のスケジューリングが各セルのＳＦＮ（ＢＣＨでブロードキャストされる）と関連があるためである。
【００４７】
隣接セルでサービスの設定が変更されると、このような変更は、前記隣接セルのＭＣＣＨの修正周期と同調する。しかし、前記隣接セルの修正周期は、ＵＥが現在のＭＣＣＨを読み取っているセルの修正周期と必ずしも同調するわけではない。これは、ＵＥが隣接セルのサービス設定の変更に関する情報を受信する場合、前記隣接セルのオフセット（及び修正周期）が同調しないので、このような変更がアクティブとなる時期を判断する手段がないということである。
【発明の開示】
【課題を解決するための手段】
【００４８】
従って、隣接セルからＭＢＭＳサービスを受信するユーザ装置のためにサービス再設定タイミングを改善する方法が要求されている。本発明の一態様は、前述したような従来の問題に対する本発明者らの認知を含む。このような問題を処理するために、本発明は次のように提案する。
【００４９】
本発明は、無線通信システムにおいて１対多サービスデータを伝送する制御セルと隣接セルの物理チャネルの有効性を示す方法を提供し、前記方法は、前記チャネルそれぞれに関する設定情報を含むメッセージを生成する段階と、各チャネルに関する設定情報の有効性タイミングを得るための有効性情報を前記メッセージに含める段階と、前記制御セルを介して移動端末に前記メッセージを送信する段階とを含む。
【００５０】
前記１対多サービスデータは、ＭＢＭＳデータを含む。
【００５１】
前記メッセージは、前記移動端末に伝送される制御セルシステムタイミングに関する隣接セル設定有効性タイミングを含む。
【００５２】
前記有効性情報は、制御セルＳＦＮに関するリファレンスに基づいて隣接セル設定情報有効性タイミングを定義する。
【００５３】
好ましくは、前記制御セルＳＦＮに関するリファレンスは、ＳＦＮ符号化の最上位ビットの少なくとも１つを含まない。
【００５４】
前記有効性情報は、前記制御チャネルのＭＣＣＨで伝送されたＭＢＭＳ修正サービス情報又はＭＢＭＳ未修正サービス情報制御メッセージに含まれる。
【００５５】
前記メッセージは、設定情報が有効となり始めるときに修正周期を定義する。
【００５６】
前記メッセージは、修正周期の開始に関するタイムオフセットを定義する。
【００５７】
前記メッセージは、フレーム又はＴＴＩ（Ｔｉｍｅ  Ｔｒａｎｓｍｉｓｓｉｏｎ  Ｉｎｔｅｒｖａｌ）の数を示すナンバーで前記タイムオフセットを定義する。
【００５８】
前記有効性情報は、前記隣接セルの設定情報が変更される場合、現在有効な設定情報及び次の有効な設定情報を含む。
【００５９】
前記現在有効な設定情報及び次の有効な設定情報は、それぞれ有効性タイミングの開始及び終了に関連する。
【００６０】
前記現在有効な設定情報は、このような設定を直ちに使用できることを示すフラグに関連する。
【００６１】
さらに、本発明は、無線通信システムにおいてユーザ装置により制御セル及び隣接セルと設定された１対多サービスデータを伝送する物理チャネルの設定を変更する方法を提案し、前記方法は、前記チャネルそれぞれに関する設定情報及び各チャネルに関する設定情報の有効性タイミングを得るための有効性情報を含むメッセージを受信する段階と、前記有効性情報に基づいて前記それぞれのチャネルの設定情報が有効になり始めるそれぞれのタイミングを判断する段階と、前記タイミングから始まり、前記有効な設定を利用して前記チャネルを受信する段階とを含む。
【００６２】
前記１対多サービスデータは、ＭＢＭＳデータを含む。
【００６３】
前記メッセージは、前記移動端末に伝送される制御セルシステムタイミングに関する隣接セル設定有効性タイミングを含む。
【００６４】
前記有効性情報は、制御セルＳＦＮに関するリファレンスに基づいて隣接セル設定情報有効性タイミングを定義する。
【００６５】
好ましくは、前記制御セルＳＦＮに関するリファレンスは、ＳＦＮ符号化の最上位ビットの少なくとも１つを含まない。
【００６６】
前記有効性情報は、前記制御チャネルのＭＣＣＨで伝送されたＭＢＭＳ修正サービス情報又はＭＢＭＳ未修正サービス情報制御メッセージに含まれる。
【００６７】
前記メッセージは、設定情報が有効になり始めるときに修正周期を定義する。
【００６８】
前記メッセージは、修正周期の開始に関するタイムオフセットを定義する。
【００６９】
前記有効性情報は、前記隣接セルの設定情報が変更される場合、現在有効な設定情報及び次の有効な設定情報を含む。
【００７０】
前記現在有効な設定情報及び次の有効な設定情報は、それぞれ有効性タイミングの開始及び終了に関連する。
【００７１】
前記現在有効な設定情報は、このような設定を直ちに使用できることを示すフラグに関連する。
【００７２】
さらに、本発明は、移動装置（ｍｏｂｉｌｅ  ｅｑｕｉｐｍｅｎｔ）を提案し、前記移動装置は、無線通信システムに属する制御セルと隣接セルから１対多サービスデータを伝送する物理チャネルを受信して所定時点に物理チャネル設定を変更するための受信モジュールと、制御セルから送信されたメッセージから前記物理チャネルに関する設定情報及び設定有効性情報を抽出し、前記設定有効性情報に基づいて前記設定情報の有効性タイミングを取得し、所定時点に物理チャネル設定変更を定義する命令を生成してこれを前記受信モジュールに提供するためのプロセシングモジュールとを含む。
【００７３】
さらに、本発明は、無線ネットワーク制御装置を提案し、前記無線ネットワーク制御装置は、無線通信システムにおいて１対多サービスデータを伝送すると予測され、かつ制御セル及び隣接セルとしてそれぞれ利用されるセルの物理チャネルに関する設定情報を含むメッセージを生成し、前記各チャネルのために得られる前記設定情報の有効性タイミングに基づいて前記メッセージに有効性情報を含めるためのモジュールと、前記メッセージを制御セルに提供するためのインタフェースとを含む。
【発明を実施するための最良の形態】
【００７４】
ＲＬＣ（Ｒａｄｉｏ  Ｌｉｎｋ  Ｃｏｎｔｒｏｌ）層は第２層であり、ＲＮＣとＵＥの論理チャネル間のデータ交換を制御するために利用される。前記ＲＬＣ層は、現在３つの伝送モードで実現されるが、これは、透過モード、無応答モード、及び応答モードである。このようなモードの詳細な動作は、リファレンス３ＧＰＰ  ＴＳ  ２５．３２２のＲＬＣプロトコル仕様書に記述されている。前記伝送モードによって異なる機能も利用可能である。
【００７５】
前記応答モード及び無応答モードにおいて、ＳＤＵは、エアインタフェースでの伝送のために使用される小さいパケットデータユニット（ＰＤＵ）に分けられる。送信側は前記ＳＤＵをＰＤＵに分離し、受信側は前記ＰＤＵに加えられた制御情報に基づいて前記ＳＤＵを再構成するために前記ＰＤＵを再構築する。前記制御情報は、例えば、ＰＤＵが損失したか否かを検出するためのＰＤＵシーケンスナンバーであるか、又は、ＲＬＣ  ＰＤＵ内のＳＤＵの開始／終了を示す長さインジケータ（Ｌｅｎｇｔｈ  Ｉｎｄｉｃａｔｏｒ：ＬＩ）である。
【００７６】
前記無応答モードにおいて、受信側は、ＰＤＵを正確に伝送した送信側に確認メッセージ（ｃｏｎｆｉｒｍａｔｉｏｎ）を送信せずに、前記ＰＤＵ内に含まれるシグナル情報に基づいてＰＤＵをＳＤＵに再構築して完成したＳＤＵを上位層に伝送する。
【００７７】
前記応答モードにおいて、前記受信側は、前記正確に受信されたＰＤＵのための応答を伝送する。前記送信側は、損失したＰＤＵの再伝送を開始するために前記応答を使用する。前記応答は、所定条件下で伝送される。前記受信側により受信されたＰＤＵに対する応答の伝送を開始するためには複数のメカニズムが用いられる。どのメカニズムをアクティブにするかは、標準内に定義され、かつ／又はＲＲＣシグナリングにより実現される。ステータスＰＤＵの伝送のためのメカニズムは、例えば、受信された最新のシーケンスナンバーである１ずつ増加したシーケンスナンバーに該当しないシーケンスナンバーであるＰＤＵの受信により、又は、前記受信側が応答（又は、「ステータス」という）が伝送されるべきであるという指示を前記ＲＬＣ制御情報メッセージにより前記送信側から受信することにより、実現される。ステータスＰＤＵを伝送するための前記送信側の指示を「ポーリング」という。
【００７８】
前記送信側がポーリングビットを伝送するとき、所定時間が経過しても前記ポーリングの伝送後の位置報告が受信されない場合、メカニズムは前記ＵＭＴＳ標準で実現される。前記メカニズムにおいて、前記送信側は、前記ポーリングインジケータを含むＰＤＵの再伝送を開始し、これを「タイマーポール（ｔｉｍｅｒ  ｐｏｌｌ）」という。
【００７９】
他のメカニズムは、ＰＤＵの再伝送回数を計数する。前記再伝送が所定回数（ＭａｘＤａｔ）を超えると、前記送信側は、ＡＭ  ＲＬＣモードを使用する無線ベアラの送信側と受信側エンティティを初期状態に設定するリセット手順を開始する。前記リセット手順が開始されると、開始エンティティは、Ｒｅｓｅｔ  ＰＤＵを終了エンティティに伝送する。前記終了エンティティは、前記Ｒｅｓｅｔ  Ａｃｋ  ＰＤＵを伝送することにより、前記Ｒｅｓｅｔ  ＰＤＵの受信に対して応答する。前記開始エンティティは、所定時間が経過しても前記Ｒｅｓｅｔ  Ａｃｋ  ＰＤＵを受信しない場合、前記Ｒｅｓｅｔ  ＰＤＵを再伝送する。前記開始エンティティは、所定量の再伝送を行っても前記Ｒｅｓｅｔ  Ａｃｋ  ＰＤＵを受信しない場合、回復不能エラー（ｕｎｒｅｃｏｖｅｒａｂｌｅ  ｅｒｒｏｒ）を検出する。
【００８０】
前記一例は、機能障害がＲＬＣ  ＡＭモードのＲＬＣエンティティの動作から検出される状況を記述している。このような機能障害の発生可能性を検出するための他のメカニズムは、予めＵＭＴＳ標準に記述されているか、新しく考案及び実現される可能性がある。例えば、定義されていないシグナリング情報がＲＬＣ  ＰＤＵに含まれていることを検出するか、ＵＭエンティティの受信／送信が正常に行われていないことを上位層から検出するＵＭモードのＲＬＣエンティティに関する検出メカニズムも考案される可能性がある。
【００８１】
前述したように、回復不能エラーを検出する標準に定義されたメカニズムがあるが、これは、遮断された（ｂｌｏｃｋｅｄ）状況や通信が切断された状況に該当する。
【００８２】
前記ＵＥが前記標準に記述された回復不能エラーを検出すると、前記ＵＥは、ＣＥＬＬ＿ＦＡＣＨ状態に移行してセルアップデートメッセージを前記Ｎｏｄｅ  Ｂ／ＲＮＣに送信する。その結果、前記ＵＥは、ＩＥ（Ｉｎｆｏｒｍａｔｉｏｎ  Ｅｌｅｍｅｎｔ）セルアップデート原因（Ｃｅｌｌ  ｕｐｄａｔｅ  ｃａｕｓｅ）をＲＬＣ回復不能エラーの原因に設定することにより、回復不能エラーが発生したことを通知する。前記ＵＥは、前記ＩＥ  ＡＭ＿ＲＬＣエラーインジケータ（ＲＢ１、ＲＢ３、又はＲＢ４）を含むことにより、前記回復不能エラーがＩＤ２、３、又は４を有するシグナリング無線ベアラのうちの１つに対して発生したことを通知する。前記ＵＥは、前記ＩＥ  ＡＭ＿ＲＬＣエラーインジケータ（ＲＢ＞４）を含むことにより、前記回復不能エラーが４より大きいＩＤを有するＲＬＣ  ＡＭモードを使用する無線ベアラＲＢのうちの１つに対して発生したことを通知する。次に、前記ＲＮＣは、前記セルアップデート確認（Ｃｅｌｌ  Ｕｐｄａｔａ  Ｃｏｎｆｉｒｍ）メッセージを送信し、前記ＩＥ  ＲＬＣ再設定インジケータ（ＲＢ２、ＲＢ３、及びＲＢ４）を「真」に設定することによりＩＤ２、３、及び４を有するＳＲＢに対して前記ＲＬＣエンティティが再設定されることを通知し、かつ／又はＲＬＣ再設定インジケータ（ＲＢ５及びそれ以上）を「真」に設定することによりＲＬＣ  ＡＭモードを使用する４以上のＩＤを有するＲＢに対して前記ＲＬＣエンティティが再設定されることを通知する。
【００８３】
前記ＵＭ／ＡＭ  ＲＬＣエンティティは、暗号化及び暗号解読も担当する。そのために、送信側及び受信側のＲＬＣエンティティは、ＨＦＮ（Ｈｙｐｅｒ  Ｆｒａｍｅ  Ｎｕｍｂｅｒ）及びＲＬＣ  ＳＮ（Ｓｅｑｕｅｎｃｙ  Ｎｕｍｂｅｒ）から構成されるＣＯＵＮＴ−Ｃナンバーを維持する。前記ＣＯＵＮＴ−Ｃ値は、他の情報とともにビットストリングを生成する数学関数への入力として用いられる。前記ビットストリングとＳＮを除いたＲＬＣ  ＰＤＵは、論理ＸＯＲ演算により結合されるが、これは、前記ＲＬＣ  ＰＤＵのデータ部分の暗号化を保障する。前記ＨＦＮ値は、前記ＲＬＣ  ＳＮがラップアラウンド（ｗｒａｐ  ａｒｏｕｎｄ）する度に（すなわち、前記ＲＬＣ  ＳＮが最大値に達して「０」から再開するとき）増加する。前記受信側がＳＮの特定値を失った場合、又は、前記受信されたＳＮが前記受信中に変更された場合、前記受信側と送信側におけるＣＯＵＮＴ−Ｃが非同期化することがある。この場合、前記受信側は、前記受信された情報を正確に解読できない。前記受信側は、異なるメカニズムにより前記解読エンティティの機能障害を検出できる。
【００８４】
ＲＲＣモードは、端末のＲＲＣとＵＴＲＡＮのＲＲＣ間に論理接続が存在するか否かを示す。接続が存在すると、前記端末はＲＲＣ接続モードにあるという。接続が存在しないと、前記端末はアイドルモードにあるという。ＲＲＣ接続モードにある端末に対してＲＲＣ接続が存在するため、ＵＴＲＡＮは、セルユニット内の特定端末が存在するか否か、例えば、ＲＲＣ接続モードの端末がどのセル又はセルの集合にあるか、及びどの物理チャネルをＵＥがリッスンしているかを判断できる。このように、端末を効果的に制御できる。
【００８５】
これに対して、ＵＴＲＡＮは、アイドルモードにある端末の存在を判断できない。アイドルモードにある端末の存在はコアネットワークによってのみ判断される。特に、前記コアネットワークは、ロケーションやルーティング領域のようにセルより大きい地域内にアイドルモードの端末が存在するか否かのみを検出できる。従って、アイドルモード端末の存在は、大きい地域内で判断される。音声やデータなどの無線通信サービスを受けるために、アイドルモードの端末は、ＲＲＣ接続モードに移行又は変更しなければならない。ユーザ装置のモードと状態間の可能な変化については、図５に示す。ＯＳは、サービス不能（ｏｕｔ  ｏｆ  ｓｅｒｖｉｃｅ）を示し、ＩＳは、サービス可能（ｉｎ  ｓｅｒｖｉｃｅ）を示し、Ｒは、ＲＲＣ接続解除段階を示し、Ｅは、ＲＲＣ接続設定段階を示す。
【００８６】
ＲＲＣ接続モードにあるＵＥは、ＣＥＬＬ＿ＦＡＣＨ状態、ＣＥＬＬ＿ＰＣＨ状態、ＣＥＬＬ＿ＤＣＨ状態、ＵＲＡ＿ＰＣＨ状態などの異なる状態となることができる。これら以外の状態も可能である。例えば、ＣＥＬＬ＿ＤＣＨ状態の端末は、多様なチャネルのうち、ＤＣＨタイプのトランスポートチャネルをリッスンする。ＤＣＨタイプのトランスポートチャネルは、所定のＤＰＣＨ、ＤＰＤＳＣＨ、又は他の物理チャネルにマッピングできるＤＴＣＨ及びＤＣＣＨトランスポートチャネルを含む。ＣＥＬＬ＿ＦＡＣＨ状態にあるＵＥは、特定Ｓ−ＣＣＰＣＨにマッピングされる複数のＦＡＣＨトランスポートチャネルをリッスンする。ＰＣＨ状態にあるＵＥは、特定Ｓ−ＣＣＰＣＨ物理チャネルにマッピングされるＰＩＣＨチャネル及びＰＣＨチャネルをリッスンする。
【００８７】
主なシステム情報は、Ｐ−ＣＣＰＣＨ（ｐｒｉｍａｒｙ  ｃｏｍｍｏｎ  ｃｏｎｔｒｏｌ  ｐｈｙｓｉｃａｌ  ｃｈａｎｎｅｌ）にマッピングされるＢＣＣＨ論理チャネルで伝送される。特定システム情報ブロックは、ＦＡＣＨチャネルで伝送される。前記システム情報がＦＡＣＨで伝送されると、ＵＥは、Ｐ−ＣＣＰＣＨで受信されるＢＣＣＨ、又は専用チャネルでＦＡＣＨの設定を受信する。システム情報がＢＣＣＨ（すなわち、Ｐ−ＣＣＰＣＨ）で伝送されると、各フレーム又は２つのフレームセットにおいて、ＵＥとＮｏｄｅ  Ｂ間で同一のタイミングリファレンスを共有するために利用されるＳＦＮが伝送される。前記Ｐ−ＣＣＰＣＨは、常にセルのプライマリスクランブル符号であるＰ−ＣＰＩＣＨ（ｐｒｉｍａｒｙ  ｃｏｍｍｏｎ  ｐｉｌｏｔ  ｃｈａｎｎｅｌ）と同一のプライマリスクランブル符号を利用して伝送される。３ＧＰＰ  ＴＳ  ２５．２１３：拡散及び変調（ｓｐｒｅａｄｉｎｇ  ａｎｄ  ｍｏｄｕｌａｔｉｏｎ（ＦＤＤ））、Ｖ６．０．０（ｆｔｐ：／／ｆｔｐ．３ｇｐｐ．ｏｒｇ／Ｓｐｅｃｓ／２００４−０３／Ｒｅｌ−６／２５＿ｓｅｒｉｅｓ／２５２１３−６００．ｚｉｐ）に定義されているように、前記Ｐ−ＣＣＰＣＨが利用する拡散符号は、常に固定された拡散因子２５６を有し、その番号は１である。ＵＥは、ＵＥが読み取った隣接セルのシステム情報に関してネットワークから伝送された情報により、又は、ＵＥ自身がＤＣＣＨチャネルで受信したメッセージにより、又は、固定ＳＦ２５６及び拡散符号番号０を利用して伝送され、かつ固定されたパターンを伝送するＰ−ＣＰＩＣＨを検索することにより、前記プライマリスクランブル符号について認知する。
【００８８】
前記システム情報には、隣接セル、ＲＡＣＨ、及びＦＡＣＨトランスポートチャネルの設定及びＭＢＭＳサービスのための専用チャネルであるＭＩＣＨ及びＭＣＣＨの設定に関する情報が含まれている。
【００８９】
前記ＵＥは、セルを変更する度に（アイドル状態に）キャンプするか、（ＣＥＬＬ＿ＦＡＣＨ、ＣＥＬＬ＿ＰＣＨ、又はＵＲＡ＿ＰＣＨ状態で）任意のセルを選択すると、有効なシステム情報を有しているか否かを検証する。前記システム情報は、ＳＩＢｓ（Ｓｙｓｔｅｍ  Ｉｎｆｏｒｍａｔｉｏｎ  Ｂｌｏｃｋｓ）、ＭＩＢ（Ｍａｓｔｅｒ  Ｉｎｆｏｒｍａｔｉｏｎ  Ｂｌｏｃｋ）、及びスケジューリングブロックに設定される。前記ＭＩＢは、非常に頻繁に伝送され、スケジューリングブロック及び異なるＳＩＢのタイミング情報を提供する。バリュータグ（ｖａｌｕｅ  ｔａｇ）に関連するＳＩＢの場合、前記ＭＩＢは、一部のＳＩＢの最新バージョンに関する情報も含む。バリュータグに関連しないＳＩＢは、満了タイマーと関連する。満了タイマーに関するＳＩＢは有効でなくなり、前記ＳＩＢの最新読み取り時間が満了タイマー値より大きい場合、再読み取りされる必要がある。バリュータグに関するＳＩＢは、ＭＩＢでブロードキャストされたバリュータグと同一のバリュータグを有する場合にのみ有効である。各ブロックは、前記ＳＩＢがどのセルで有効であるかを明示する有効面積範囲（ａｒｅａ  ｓｃｏｐｅ  ｏｆ  ｖａｌｉｄｉｔｙ）（Ｃｅｌｌ、ＰＬＭＮ（Ｐｕｂｌｉｃ  Ｌａｎｄ  Ｍｏｂｉｌｅ  Ｎｅｔｗｏｒｋ）、又は同等（ｅｑｕｉｖａｌｅｎｔ）ＰＬＭＮ領域）を有する。面積範囲「Ｃｅｌｌ」を有するＳＩＢは、ＳＩＢが読み取られたセルに対してのみ有効である。面積範囲「ＰＬＭＮ」を有するＳＩＢは、全てのＰＬＭＮで有効であり、面積範囲「同等（ｅｑｕｉｖａｌｅｎｔ）ＰＬＭＮ」を有するＳＩＢは、全てのＰＬＭＮと同等ＰＬＭＮで有効である。
【００９０】
一般に、ＵＥは、ＵＥ自身が選択したか、ＵＥ自身がキャンプオン（ｃａｍｐｉｎｇ  ｏｎ）しているセルのアイドルモード、ＣＥＬＬ＿ＦＡＣＨ状態、ＣＥＬＬ＿ＰＣＨ状態、又はＵＲＡ＿ＰＣＨ状態にあるときに前記システム情報を読み取る。前記システム情報から、ＵＥは、同一周波数、異なる周波数、及び異なるＲＡＴ（Ｒａｄｉｏ  Ａｃｃｅｓｓ  Ｔｅｃｈｎｏｌｏｇｉｅｓ）上での隣接セルに関する情報を得る。これにより、ＵＥは、どのセルがセル再選択のための候補セルであるかが分かる。
【００９１】
前述したように、ＭＢＭＳデータは、２つのカテゴリー、すなわち、制御プレーン情報及びユーザプレーン情報に分離できる。前記制御プレーン情報は、特に次の内容に関する情報を含む。
【００９２】
＊物理層設定
＊トランスポートチャネル設定
＊無線ベアラ設定
＊提供中のサービス
＊集計情報（ｃｏｕｎｔｉｎｇ  ｉｎｆｏｒｍａｔｉｏｎ）
＊スケジューリング情報
ＵＥがこのような情報を受信できるように、ＭＢＭＳに対するＭＢＭＳベアラ固有制御情報が伝送される。
【００９３】
ＭＢＭＳベアラのユーザプレーンデータは、１つのＵＥにのみ伝送される１対１サービスの場合に専用トランスポートチャネルにマッピングされ、又は同時に複数のユーザに伝送される（もしくは、複数のユーザにより受信される）１対多サービスの場合に共有トランスポートチャネルにマッピングされる。
【００９４】
１対１伝送は、ネットワークとＲＲＣ接続モードの１つのＵＥ間で専用制御／ユーザプレーン情報だけでなく、ＭＢＭＳ固有制御／ユーザプレーン情報を伝達するために利用される。これは、ＭＢＭＳのマルチキャストモードの場合にのみ利用される。ＣＥＬＬ＿ＦＡＣＨ又はＣＥＬＬ＿ＤＣＨ状態のＵＥの場合、ＤＴＣＨを利用して全ての従来のトランスポートチャネルへのマッピングを可能にする。
【００９５】
１対多伝送（ＰｔＭ）は、ネットワークとＲＲＣ接続モード又はアイドルモードにある複数のＵＥ間でＭＢＭＳ固有制御／ユーザプレーン情報を伝達するために利用される。これは、ＭＢＭＳのブロードキャスト又はマルチキャストモードの場合に利用される。
【００９６】
論理チャネルＭＣＣＨ（ＭＢＭＳ  ｐｏｉｎｔ−ｔｏ−ｍｕｌｔｉｐｏｉｎｔ  Ｃｏｎｔｒｏｌ  Ｃｈａｎｎｅｌ）は、ネットワークとＲＲＣ接続モード又はアイドルモードのＵＥ間の制御プレーン情報のＰｔＭダウンリンク伝送のために利用される。前記ＭＣＣＨ上の制御プレーン情報は、ＭＢＭＳ固有のものであり、アクティブとなったＭＢＭＳサービスを有するセル内のＵＥに伝送される。ＭＣＣＨは、ＣＥＬＬ＿ＦＡＣＨ状態のＵＥのＤＣＣＨを伝達するＳ−ＣＣＰＣＨ、又は独立Ｓ−ＣＣＰＣＨ、又はＭＴＣＨと同一のＳ−ＣＣＰＣＨで伝送できる。
【００９７】
ＭＣＣＨは、ＢＣＣＨに示すとおり、常にＳ−ＣＣＰＣＨ内の１つの特定ＦＡＣＨにマッピングされる。ソフト結合（ｓｏｆｔ  ｃｏｍｂｉｎｉｎｇ）の場合、前記ＭＣＣＨは、ＭＴＣＨとは異なるＳ−ＣＣＰＣＨ（ＴＤＤ（Ｔｉｍｅ  Ｄｉｖｉｓｉｏｎ  Ｄｕｐｌｅｘｉｎｇ）内のＣＣＴｒＣＨ）にマッピングされる。ページング受信は、アイドルモード及びＵＲＡ／ＣＥＬＬ＿ＰＣＨ状態のＵＥのためのＭＣＣＨ受信より優先的に行われる。
【００９８】
前記ＭＣＣＨの設定（修正周期、繰り返し周期など）は、ＢＣＣＨチャネルで伝送されたシステム情報に設定されている。
【００９９】
論理チャネルＭＴＣＨ（ＭＢＭＳ  ｐｏｉｎｔ−ｔｏ−ｍｕｌｔｉｐｏｉｎｔ  ｔｒａｆｆｉｃ  ｃｈａｎｎｅｌ）は、ネットワークとＲＲＣ接続モード又はアイドルモードのＵＥ間のユーザプレーン情報のＰｔＭダウンリンク伝送のために利用される。前記ＭＴＣＨ上のユーザプレーン情報は、ＭＢＭＳサービス固有のものであり、アクティブとなったＭＢＭＳサービスを有するセル内のＵＥに伝送される。前記ＭＴＣＨは、ＭＣＣＨに示すとおり、常にＳ−ＣＣＰＣＨ内の１つの特定ＦＡＣＨにマッピングされる。
【０１００】
論理チャネルＭＳＣＨ（ＭＢＭＳ  ｐｏｉｎｔ−ｔｏ−ｍｕｌｔｉｐｏｉｎｔ  ｓｃｈｅｄｕｌｉｎｇ  ｃｈａｎｎｅｌ）は、ネットワークとＲＲＣ接続モード又はアイドルモードのＵＥ間のＭＢＭＳサービス伝送スケジュールのＰｔＭダウンリンク伝送のために利用される。前記ＭＳＣＨ上の制御プレーン情報は、ＭＢＭＳサービス及びＳ−ＣＣＰＣＨ固有のものであり、ＭＴＣＨを受信するセル内のＵＥに伝送される。１つのＭＳＣＨは、ＭＴＣＨを伝送する各Ｓ−ＣＣＰＣＨで伝送される。
【０１０１】
前記ＭＳＣＨは、ＭＣＣＨに示すとおり、Ｓ−ＣＣＰＣＨＳ内の１つの特定ＦＡＣＨにマッピングされる。異なる誤差要求条件により、前記ＭＳＣＨは、ＭＴＣＨとは異なるＦＡＣＨにマッピングされる。
【０１０２】
ＦＡＣＨは、ＭＴＣＨ、ＭＳＣＨ、及びＭＣＣＨに対するトランスポートチャネルとして利用される。Ｓ−ＣＣＰＣＨは、ＭＴＣＨ、ＭＣＣＨ、又はＭＳＣＨを伝送するＦＡＣＨに対する物理チャネルとして利用される。（それぞれＵＥ及びＵＴＲＡＮの観点から）図６及び図７に示すように、ダウンリンクの場合、論理チャネルとトランスポートチャネル間では次のような接続が存在する。ＭＣＣＨ、ＭＴＣＨ、及びＭＳＣＨは、ＦＡＣＨにマッピングできる。
【０１０３】
以下、第２層を介したデータフローを説明する。ＦＡＣＨにマッピングされるＭＣＣＨに対するデータフローは、不連続ＳＤＵ伝送をサポートできるＵＭ−ＲＬＣモードを利用する。論理チャネルタイプ識別のためにＭＡＣヘッダを利用する。ＦＡＣＨにマッピングされるＭＴＣＨに対するデータフローは、選択結合（ｓｅｌｅｃｔｉｖｅ  ｃｏｍｂｉｎｉｎｇ）をサポートできるＵＭ−ＲＬＣモードを使用する。クイックリピート（ｑｕｉｃｋ  ｒｅｐｅａｔ）は、ＲＬＣ−ＵＭで使用される。論理チャネルタイプ識別及びＭＢＭＳサービス識別のためにはＭＡＣヘッダが使用される。ＦＡＣＨにマッピングされるＭＳＣＨに対するデータフローは、ＵＭ−ＲＬＣモードを使用し、論理チャネルタイプ識別のためにはＭＡＣヘッダが使用される。
【０１０４】
ＭＢＭＳ通知のためにセル内でＭＢＭＳ通知インジケータチャネル（ＭＢＭＳ  Ｎｏｔｉｆｉｃａｔｉｏｎ  Ｉｎｄｉｃａｔｏｒ  Ｃｈａｎｎｅｌ：ＭＩＣＨ）という新しいＭＢＭＳ固有ＰＩＣＨを活用する。正確な符号化方式がステージ３物理層仕様書に定義されている。
【０１０５】
ＭＣＣＨ情報は、決定されたスケジュール通り伝送される。このようなスケジュールにより前記ＭＣＣＨ情報の開始を含むＴＴＩ（ｔｒａｎｓｍｉｓｓｉｏｎ  ｔｉｍｅ  ｉｎｔｅｒｖａｌ、すなわち、複数のフレーム）が識別される。このような情報の伝送には可変的な数のＴＴＩを必要とすることがあり、ＵＴＲＡＮは、連続的ＴＴＩでＭＣＣＨ情報を伝送しなければならない。ＵＥは、次のような条件になるまでＳ−ＣＣＰＣＨを継続して受信する。
【０１０６】
−  全てのＭＣＣＨ情報を受信するまで、
−  ＭＣＣＨデータを含まないＴＴＩを受信するまで、又は
−  情報内容がこれ以上の受信が要求されないことを示すまで（例えば、所望のサービス情報への修正がなくなるまで）
このような動作に基づいて、ＵＴＲＡＮは、信頼性向上のためにスケジュールによってＭＣＣＨ情報を繰り返し伝送できる。このようなＭＣＣＨスケジュールは、全てのサービスに共通する。
【０１０７】
全体ＭＣＣＨ情報は、繰り返し周期で周期的に伝送される。修正周期は、前記繰り返し周期の整数倍（ｉｎｔｅｇｅｒ  ｍｕｌｔｉｐｌｅ）に定義される。ＭＢＭＳ  ＡＣＣＥＳＳ  ＩＮＦＯＲＭＡＴＩＯＮは、接続情報周期に基づいて周期的に伝送される。このような周期は、前記繰り返し周期の整数分割（ｉｎｔｅｇｅｒ  ｄｉｖｉｄｅｒ）である。このような繰り返し及び修正周期の値は、ＭＢＭＳが伝送されるセルのシステム情報内に与えられる。
【０１０８】
ＭＣＣＨ情報は、重要及び非重要情報に分類される。前記重要情報は、ＭＢＭＳ  ＮＥＩＧＨＢＯＵＲＩＮＧ  ＣＥＬＬ  ＩＮＦＯＲＭＡＴＩＯＮ、ＭＢＭＳ  ＳＥＲＶＩＣＥ  ＩＮＦＯＲＭＡＴＩＯＮ、及びＭＢＭＳ  ＲＡＤＩＯ  ＢＥＡＲＥＲ  ＩＮＦＯＲＭＡＴＩＯＮに設定される。前記非重要情報は、ＭＢＭＳ  ＡＣＣＥＳＳ  ＩＮＦＯＲＭＡＴＩＯＮに該当する。重要情報の変更は、修正周期の第１ＭＣＣＨ伝送時及び各修正周期の初期にのみ適用される。ＵＴＲＡＮは、前記修正周期にＭＣＣＨ情報が修正されたＭＢＭＳサービス識別内容を含むＭＢＭＳ  ＣＨＡＮＧＥ  ＩＮＦＯＲＭＡＴＩＯＮを伝送する。ＭＢＭＳ  ＣＨＡＮＧＥ  ＩＮＦＯＲＭＡＴＩＯＮは、前記修正周期の各繰り返し周期に少なくとも一回繰り返される。非重要情報への変更はいつでも発生し得る。
【０１０９】
図８は、ＭＢＭＳ  ＳＥＲＶＩＣＥ  ＩＮＦＯＲＭＡＴＩＯＮ及びＲＡＤＩＯ  ＢＥＡＲＥＲ  ＩＮＦＯＲＭＡＴＩＯＮが伝送されるスケジュールを示す図であり、異なるパターンは、異なるＭＣＣＨコンテンツを示す。
【０１１０】
適用範囲を広くするために、異なるセル間に位置するＵＥは、同時に異なるセルから同一のＭＢＭＳサービスを受信でき、受信された情報は、図９に示すように結合することができる。この場合、ＵＥは、特定アルゴリズムによってＵＥが選択した１つの制御セルからＭＣＣＨを読み取る。
【０１１１】
前記図面において、前記選択されたセル（例えば、Ａ−Ｂ）からのＭＣＣＨを介して、ＵＥは、ＵＥが関心を持つサービスに関する情報を受信する。このような情報は、前記制御セル内の物理チャネル及びトランスポートチャネルの設定、ＲＬＣ設定、ＰＤＣＰ設定などに関する情報、及びＵＥが受信できる隣接セル（例えば、セルＡ−Ａ、及びセルＢ）に関する情報を含む。すなわち、前記情報は、ＵＥがセルＡ−Ａ、Ａ−Ｂ、及びセルＢにおいて関心を持つサービスを伝送するＭＴＣＨを受信するためにＵＥを必要とすることを示す。
【０１１２】
同一のサービスが異なるセルから伝送される場合、ＵＥは、前記異なるセルから伝送されたサービスを次のような異なるレベルで結合することができることもあり、できないこともある。
【０１１３】
結合不可能
ＲＬＣレベルで選択的結合
物理レベルでＬ１結合
ＭＢＭＳ  ＰｔＭ伝送のための選択結合は、ＲＬＣ  ＰＤＵに番号を付けることによりサポートされる。従って、ＵＥにおける選択結合は、ＭＢＭＳ  ＰｔＭ伝送ストリーム間の非同期化（ｄｅ−ｓｙｎｃｈｒｏｎｉｚａｔｉｏｎ）がＵＥのＲＬＣ並び替え（ｒｅ−ｏｒｄｅｒｉｎｇ）能力を超過しない場合、類似したＭＢＭＳ  ＲＢビットレートを提供するセルから可能である。このように、ＵＥ側には、１つのＲＬＣエンティティが存在する。選択結合のために、ＣＲＮＣのセルグループ内でＰｔＭ伝送を活用するＭＢＭＳサービス毎に１つのＲＬＣエンティティが存在する。前記セルグループ内の全てのセルは、同一のＣＲＮＣの制御下にある。ＭＢＭＳセルグループに属する隣接セルにおけるＭＢＭＳ伝送間に非同期化が発生した場合、ＣＲＮＣは、ＵＥがこのようなセル間で前記選択結合を行うことができるようにする再同期化（ｒｅ−ｓｙｎｃｈｒｏｎｉｚａｔｉｏｎ）動作を行う。
【０１１４】
ＴＤＤの場合、Ｎｏｄｅ  Ｂが同期化するとき、選択結合及びソフト結合を利用できる。ＦＤＤの場合、Ｎｏｄｅ  ＢがＵＥソフト結合受信ウィンドウ内で同期化するときにソフト結合を利用でき、ソフト結合されたＳ−ＣＣＰＣＨのデータフィールドは、ソフト結合の実行中には同一である。
【０１１５】
セル間で選択結合又はソフト結合ができる場合、ＵＴＲＡＮは、選択結合又はソフト結合に利用できる隣接セルのＭＩＴＣＨ設定を含むＭＢＭＳ  ＮＥＩＧＨＢＯＵＲＩＮＧ  ＣＥＬＬ  ＩＮＦＯＲＭＡＴＩＯＮを伝送する。ソフト結合が部分的に適用される場合、前記ＭＢＭＳ  ＮＥＩＧＨＢＯＵＲＩＮＧ  ＣＥＬＬ  ＩＮＦＯＲＭＡＴＩＯＮは、ＵＥがサービングセル内で伝送されるＳ−ＣＣＰＣＨと隣接セル内で伝送されるＳ−ＣＣＰＣＨをソフト結合する瞬間を示すＬ１−結合スケジュールを含む。ＭＢＭＳ  ＮＥＩＧＨＢＯＵＲＩＮＧ  ＣＥＬＬ  ＩＮＦＯＲＭＡＴＩＯＮにより、ＵＥは、隣接セルのＭＣＣＨを受信することなく、このような隣接セルから伝送されたＭＴＣＨを受信できる。
【０１１６】
ＵＥは、閾値（例えば、測定されたＣＰＩＣＨ  Ｅｃ／Ｎｏ）に基づいて選択結合又はソフト結合に適した隣接セル及び前記隣接セルのＭＢＭＳ  ＮＥＩＧＨＢＯＵＲＩＮＧ  ＣＥＬＬ  ＩＮＦＯＲＭＡＴＩＯＮの存在を判断する。
【０１１７】
選択結合又はソフト結合の実行可能性がＵＥにシグナリングされる。
【０１１８】
本発明は、制御セルを介して有効性情報を含むメッセージをＵＥに送信する方法を提案する。前記ＵＥは、このような有効性情報を利用して前記制御セル及び隣接セルの物理チャネルの設定情報に対する有効性タイミングを得ることができる。一方、セル及びネットワークにおいて利用される予め定義された設定有効性規則に準拠してＵＥが前記設定有効性タイミングを得ることができる。
【０１１９】
図１３は、隣接セルにおけるセッション開始を示す図であり、図１３において、サービスは、２つの隣接セルで同時に開始する。しかし、前記セルＡとＢ間に修正周期が整合されていないので、ＮｏｄｅＢ  Ａで使用されるサービスＳの設定（設定Ｓ−Ａ）及びＮｏｄｅＢ  Ｂで使用されるサービスＳの設定（設定Ｓ−Ｂ）は、同時にブロードキャストされない。
【０１２０】
制御セルがＮｏｄｅＢ  Ａの場合、ＮｏｄｅＢ  ＢのＭＴＣＨ設定がいつ有効になるかを通知する方法がない。修正周期１Ａで前記設定Ｓ−Ｂを示すことは、ＵＥがまだ設定されていないチャネルをリッスンできないので不可能であり、これにより受信も不可能となる。ＮｏｄｅＢ  ＢにおけるサービスＳの設定伝送は、ＮｏｄｅＢ  Ｂの設定がＮｏｄｅＢ  ＡのＭＣＣＨをリッスンするＵＥにより受信される修正周期２Ａまで遅延される。これにより、平均的に半修正周期（ｈａｌｆ  ａ  ｍｏｄｉｆｉｃｉａｔｉｏｎ  ｐｅｒｉｏｄ）だけ伝送開始が遅延される。
【０１２１】
異なるＮｏｄｅＢを介して伝送されるサービスを再設定する場合、ＵＥがセルに進入するという問題とともに、セッション開始の場合と同一の問題が存在する。すなわち、新しい設定を最初にブロードキャストするセルに進入するＵＥは進行中のセッションを受信することができない。
【０１２２】
また、ＵＥがキャンプオンしているセル及び隣接セルで提供中のサービスを予め受信しているＵＥには、周知のシグナリングが問題となる。ＮｏｄｅＢ  Ａ及びＮｏｄｅＢ  Ｂの修正周期が整合されていない場合、このようなシグナリングは、ある瞬間に現在のＮｏｄｅＢ  Ａによる隣接ＮｏｄｅＢ  Ｂの正確なＭＴＣＨ設定を示すことができない。
【０１２３】
ある瞬間に隣接セルのＭＴＣＨに対する正確な設定を判断することも問題となる。同期化を維持する必要がある場合、修正周期のオフセットを変更するためにシステム情報をアップデートする解決策を導くことができる。この過程は、負担のかかる過程であり、セル内の全てのＵＥをウェイクアップさせて前記システム情報を再読み取りすることを意味する。
【０１２４】
図１４は、隣接セルの再設定に対する第１ケースの例を示す。設定Ｓ−Ａ２は、ＮｏｄｅＢ  Ａ上における修正周期１Ａに伝送される（前記設定は、制御セルＮｏｄｅＢ  Ａで変更されるからである）。前記隣接セルの場合、設定Ｓ−Ｂ１は、修正周期１Ａ中にＮｏｄｅＢ  ＡのＭＣＣＨにより伝送される。この場合、ＵＥは、前記サービスＳの設定が次の修正周期中には変更されないとみなす。
【０１２５】
さらなる情報がない場合、前記ＮｏｄｅＢ  Ｂ及びＮｏｄｅＢ  Ａの修正周期が整合されておらず、また、修正周期の境界で変更が発生する可能性があるので、ＵＥは誤った設定を利用する。
【０１２６】
図１５は、隣接セルの再設定に対する他のケースの例を示す。設定Ｓ−Ａ２は、ＮｏｄｅＢ  Ａにおける修正周期１Ａに伝送される（前記設定は、制御セルで変更されるからである）。前記隣接セルの場合、設定Ｓ−Ｂ２は、ＮｏｄｅＢ  Ａの修正周期２Ａ中に伝送される。この場合、ＵＥは、ＭＴＣＨの設定が次の修正周期中に変更されるとみなす。
【０１２７】
さらなる情報がない場合、前記ＮｏｄｅＢ  Ｂの修正周期が整合されておらず、さらに、修正周期の境界で変更が発生する可能性があるので、ＵＥは、図１５に示す時間の間誤った設定を利用する。
【０１２８】
隣接セルからＭＢＭＳサービスを受信するユーザ装置のためのサービス再設定タイミングの問題を解決するために、本発明は、次のような方式で無線通信システムにおいて１対多サービスデータを伝送する物理チャネルの有効性を制御セル及び隣接セルにより示す方法を提示する。前記チャネルそれぞれに関する設定情報を含むメッセージを前記制御セルで生成する。このようなメッセージは、ＵＥが各チャネル設定の有効性タイミングを得るために利用できる有効性情報を含む。前記メッセージは、後にＵＥに送信される。
【０１２９】
前記情報により、ＵＥは、前記隣接セルから伝送される所定サービスに対する設定有効性タイミングを得ることができる。前記隣接セルが伝送する前記サービスの正しい設定は、限られたオフセットとともにＵＥにより利用される。
【０１３０】
前記有効性タイミング情報は、ＭＢＭＳサービスを伝送するＳ−ＣＣＰＣＨのような物理チャネルの設定が現在の修正周期中に有効であるかもしくはそれより長い期間で有効であるか、所定アクティブ化時間以後も有効であるか、又は所定アクティブ化時間まで有効であるかを示す。従って、前記隣接セルの１つから無効な物理チャネル設定を利用しようとする移動端末の問題を克服する。このように、前記有効性タイミングは、タイミング指示（ｔｉｍｉｎｇ  ｉｎｄｉｃａｔｉｏｎ）ともいう。
【０１３１】
すなわち、本発明は、１対多サービスを受信する方法を提供するが、前記方法は、現在の周期中に１対多サービス関連制御メッセージを受信する段階と、タイミング指示が前記受信された制御メッセージに存在するか否かを判断する段階と、タイミング情報が存在しない場合、前記受信された制御メッセージに含まれている設定実行のための情報を利用して次の週期に１対多サービスデータを受信するための物理チャネルの設定を行い、タイミング指示が存在する場合、前記受信された制御メッセージに含まれている設定実行のための情報を利用して前記タイミング指示によって１対多サービスデータを受信するための物理チャネルの設定を行う段階と、を含む。
【０１３２】
また、本発明は、１対多サービス提供方法を提供し、前記方法は、前記物理チャネルの設定を行うための情報を含み、かつタイミング指示を選択的に含む１対多サービス関連制御メッセージを物理チャネルの有効性に基づいて生成する段階と、前記制御メッセージを現在の周期中に伝送し、移動端末が前記タイミング指示によって次の週期に前記物理チャネルの設定を行うようにする段階と、前記設定された物理チャネルで前記移動端末に１対多サービスデータを伝送する段階とを含む。
【０１３３】
ここで、前記タイミング指示は、１対多無線ベアラ再設定が行われるフレームの開始を示すシステムフレームナンバー（ＳＦＮ）を含む。また、前記タイミング指示は、１対多無線ベアラ再設定が行われるフレームの開始を示すＳＦＮの最下位ビット（ｌｅａｓｔ  ｓｉｇｎｉｆｉｃａｎｔ  ｂｉｔ：ＬＳＢ）を含む。又は、前記タイミング指示は、１対多無線ベアラ再設定が行われるフレームの開始を示す現在の周期が終了した後のフレーム又は伝送時間間隔（ＴＴＩ）の数を含む。
【０１３４】
あるいは、前記タイミング指示は、マルチメディアブロードキャストマルチキャストサービス（ＭＢＭＳ）１対多（ｐ−ｔ−ｍ）アクティブ化時間である。前記ＭＢＭＳ  ｐ−ｔ−ｍアクティブ化時間は、前記ＳＦＮの１１個の最下位ビット（ＬＳＢ）から構成された情報要素（ｉｎｆｏｒｍａｔｉｏｎ  ｅｌｅｍｅｎｔ：ＩＥ）である。ここで、前記ＭＢＭＳ  ｐ−ｔ−ｍアクティブ化時間は、前記示されたＳＦＮ値に該当する１０ｍｓフレームの開始及び前記ＩＥが伝送されたセルのプライマリＣＣＰＣＨの開始を示す。また、前記ＭＢＭＳ  ｐ−ｔ−ｍアクティブ化時間の範囲は、前記時間が伝送されるＭＣＣＨ修正周期が始まった後、１０ｍｓから次のＭＣＣＨ修正周期が終了するまでである。ＵＥは、この範囲を外れた値は満了したものとみなす。
【０１３５】
本発明の方法において、前記段階は、現在のセル及び少なくとも１つの隣接セルからのデータを結合するときに行われる。前記データを結合する段階は、選択結合及びソフト結合により行われる。前記段階は、１対多サービスが前記現在のセルで開始する場合に行われる。前記段階は、前記現在のセルで１対多サービスの再設定が発生した場合に行われる。前記段階は、隣接セルでセッション開始が発生した場合に行われる。前記段階は、隣接セルで再設定が発生した場合に行われる。前記現在の周期及び次の週期は、修正周期である。各修正周期の開始は、１対多サービスに関する制御情報に修正されることを示す。各修正周期中に、前記１対多サービスに関する制御情報が繰り返し受信される。前記制御メッセージは、１対多制御チャネルで受信される。記物理チャネルは、Ｓ−ＣＣＰＣＨ（Ｓｅｃｏｎｄａｒｙ  Ｃｏｍｍｏｎ  Ｃｏｎｔｒｏｌ  Ｐｈｙｓｉｃａｌ  Ｃｈａｎｎｅｌ）である。
【０１３６】
好ましくは、隣接セルに対して現在有効な設定が伝送され、前記有効性情報は、前記設定が現在の修正周期中に有効であるということを移動端末に通知する。従って、前記有効性情報が現在の修正周期中に受信されると、前記移動端末は、前記Ｓ−ＣＣＰＣＨ設定が該当ＭＴＣＨ上で現在有効であり、前記設定情報を読み取るときに使用されるということが分かる。又は、前記有効性情報は、隣接セルに関する前記設定情報が所定アクティブ化時間後又は所定アクティブ化時間まで有効であることを前記移動端末に通知する。従って、前記有効性情報を読み取ると、前記移動端末は、該当設定情報を利用してどれくらいの期間前記ＭＴＣＨを受信するかを正確に分かる。
【０１３７】
また、設定が修正された場合、２つの設定、すなわち、現在有効な設定及び再設定後に利用される次の有効な設定が、同一の修正周期中に所定サービス及び該当セルに対して伝送できる。フラグは、現在有効な設定及び有効となる設定を示す。
【０１３８】
このような設定有効性タイミング情報は、前記設定が受信される修正周期の開始又は終了とリンクできる。前記有効性タイミング情報は、制御セルの修正周期とリンクされるか、又は、隣接セルからリンクされる。正しい修正周期は、予め設定された規則に基づいて前記有効性情報からＵＥにより得られるか、制御セルのＭＣＣＨでのＲＮＣによりＵＥへの追加伝送により得られる。
【０１３９】
前記有効性タイミングを得るための情報は、前記設定有効性が開始する所定修正周期の指示でもよい。前記情報は、オフセット、例えば、フレーム又はＴＴＩ数を定義するナンバーを含むこともできる。前記設定有効性は、前記定義された修正周期が始まった後、前記オフセットタイミングに開始する。
【０１４０】
前記設定の有効性タイミングが得られる情報は、前記設定が有効となり始めるＳＦＮタイミングに対するリファレンスでもよい。所定セルにより生成された前記メッセージは、各隣接セルのＳＦＮタイミングに対する有効性リファレンスを含む。前記情報は、所定セルのＳＦＮタイミングの最下位ビットの一部を含み、これにより、前記有効性タイミングは、前記ＳＦＮタイミングの中間部分から開始する。
【０１４１】
有効性タイミング情報は、前記制御セルのＭＣＣＨ論理チャネル上で伝達される。有効性タイミング情報は、前記ＭＣＣＨ論理チャネルで伝送されるＭＢＭＳ修正サービス情報（ＭＢＭＳ  Ｍｏｄｉｆｉｅｄ  ｓｅｒｖｉｃｅｓ  ｉｎｆｏｒｍａｔｉｏｎ：ＭＭＳＩ）メッセージ（以下、「ＭＭＳＩメッセージ」という）又はＭＢＭＳ未修正サービス情報（ＭＢＭＳ  Ｕｎｍｏｄｉｆｉｅｄ  ｓｅｒｖｉｃｅｓ  ｉｎｆｏｒｍａｔｉｏｎ：ＭＵＳＩ）メッセージ（以下、「ＭＵＳＩメッセージ」という）などの制御メッセージに含まれる。
【０１４２】
あるいは、特定シグナリングがＵＥに伝送され、ＭＵＳＩメッセージに前記サービスが含まれている場合に以前の修正周期で再設定がなかったことを示す情報を前記ＵＥに提供することができる。この場合、隣接セルのＭＴＣＨの次のフレームやＴＴＩが開始するとき、現在の修正周期中に受信されている設定は直ちに利用される。
【０１４３】
前記サービスがＭＭＳＩメッセージに含まれている場合、関連セルに対して現在有効な設定を伝送し、前記隣接セルに進入したばかりのＵＥがこの有効な設定を直ちに利用して前記セルにより提供されるサービスの受信を開始すると決定できる。このような受信開始は、前記隣接セルのＭＴＣＨの次のフレームやＴＴＩの開始と同期化できる。
【０１４４】
各隣接セルのＳ−ＣＣＰＣＨに関する情報も提供できる。この情報は、前記設定が変更されているか否かを示す。前記情報は、各サービス及び／又は各隣接セルに関して詳細に示す。
【０１４５】
ＭＢＭＳ制御メッセージは、次のような場合に利用される。
【０１４６】
ＭＭＳＩメッセージが、新しいサービス設定が有効となり始めるタイミングを定義するＭＢＭＳ  ＰｔＭアクティブ化時間という要素を含む。
【０１４７】
制御セルの場合、ＵＥは、ＭＭＳＩメッセージ受信の修正周期中に前記ＭＭＳＩメッセージを読み取り、所定サービスが前記メッセージに含まれているか否かを判断する。前記サービスが前記ＭＭＳＩメッセージに含まれていると、ＭＣＣＨでの本サービスにブロードキャストされた制御セルの該当設定は、単に次の修正周期の開始に利用される。ＵＥは、次の修正周期の開始まで以前に受信した設定を利用する。また、ＵＥは、ＭＵＳＩメッセージの受信の修正周期中に前記ＭＵＳＩメッセージを読み取る。前記サービスが前記ＭＵＳＩメッセージに含まれている場合、該当設定は、有効であるとみなされ、ＵＥは、必要な全ての情報を受信すると直ちに制御セルＭＴＣＨ受信を開始する。
【０１４８】
その後、ＵＥが移動するか、ＵＥが再設定中のセルでスイッチオンされた状況において、以前に前記設定が受信されていない場合、前記サービスが前記ＭＭＳＩメッセージに含まれていると、ＵＥは前記制御セルにおけるサービス受信を開始しない。
【０１４９】
このような問題を解決するために、現在有効な設定が現在有効な状態として伝送及びフラグすることができる。前記現在有効な設定は、前記制御セルサービス受信のために直ちに利用される。
【０１５０】
隣接セルにおける変更によりサービスが前記ＭＭＳＩメッセージに含まれる場合、前記サービスが制御セルで修正されないと、ＵＥは、前記制御セル設定が有効であるということを示す情報を読み取り、直ちに前記制御セルに対する設定を利用できる。前記情報は、各有効な設定又は修正された設定を示すインジケータであり、前記制御セルのメッセージレベル又はＳ−ＣＣＰＣＨレベルで挿入される。これは、特に、ＭＢＭＳ  ＭＡＣ識別内容（ｉｄｅｎｔｉｆｉｃａｔｉｏｎ）のみが変更される場合に有用である。
【０１５１】
どのような設定が修正周期の開始時に有効であるかを判断するためにＵＥが予め定義された規則を利用する場合、例外として、設定を修正するか否かを判断するために、前記受信される有効性情報の順序を考慮することができる。従って、有効な設定周期は、所定の場合において、次の修正周期の開始を待機する前にＵＥにより利用される。例えば、ＭＵＳＩ以後に伝送される任意の設定は、前記サービスが変更されないとみなし、前記設定が読み取られる瞬間に有効であるとみなす。また、ＵＥは、前記サービスがＭＭＳＩメッセージに修正されたサービスとして含まれていても前記設定を直ちに利用する。
【０１５２】
図１６は、例外の規則が適用される連続的ＭＣＣＨメッセージを示す図である。例えば、メッセージ１６４は、隣接セルに対するサービス（Ｓ−Ｔ−Ｕ）の設定を定義する。このメッセージは、ＭＵＳＩメッセージ１６３の次のメッセージである。従って、前記メッセージ１６４に示す全ての設定は、制御セルに対するサービスの設定がＭＭＳＩメッセージ１６１以後のメッセージ１６２に与えられていても隣接セルに対して直ちに有効となる。
【０１５３】
図１７は、制御セルにおけるサービス開始を示す図である。ＵＥに提供される有効性情報は、ＴＴＩの数、フレーム数、又は前記制御セル修正周期が開始するときからオフセットを規定するＳＦＮリファレンスを定義する。ＭＴＣＨ上のサービスＳ及びＴは、前記サービス設定情報が受信された修正周期が終了した後の時間オフセットで所定設定から開始する。このような情報は、ＰｔＭベアラの伝送が開始するサービスに関する情報又はシステム情報に関する一般的な情報と同一の修正周期にＭＣＣＨで提供される。
【０１５４】
あるいは、前記有効性情報は、Ｎｏｄｅ  Ａ上のサービス設定が予め現在の修正周期中に有効であるか否かを示す。
【０１５５】
図１８は、制御セルサービス再設定を示す図である。修正周期２Ａで、サービスＳは、変更されたサービスとして示され（このサービスは、例えば、ＭＭＳＩメッセージに含まれる）、新しい設定Ｓ２が伝送される（例えば、ＭＢＭＳ制御セルＰｔＭ  Ｒｂ情報、ＭＢＭＳ一般情報、又はＭＢＭＳ  ＰｔＭ  Ｒｂ情報メッセージのうちの１つにより伝送される）。ＵＥが誤ったタイミングに前記設定Ｓ２を使用することを防止するために、有効性情報は、前記設定Ｓ２が次の修正周期から開始しないと利用できないことを示す。ＵＥが前記設定Ｓ２を受信する前に設定Ｓ１を有する場合、前記有効性情報は、ＵＥが現在の修正周期が終了するまで前記設定Ｓ１を利用しなければならないことを示す。また、設定Ｓ１は、修正周期２Ａ中に伝送され、制御セルに進入するＵＥが次の修正周期が開始することを待機せずに直ちに前記設定を利用できる。それぞれのタグは、現在有効な設定（未変更の設定）及び次の有効な設定（変更された設定）を示す。
【０１５６】
隣接セルの場合、次の解決策が提示される。
【０１５７】
図１４に示すように、サービスが修正周期１Ａ中にＭＭＳＩメッセージに含まれている場合、ＵＥは、ＭＭＳＩメッセージが受信された前記修正周期後に第２修正周期３Ａ内でのみ隣接セルに対して修正された設定を利用する。ＵＥは、前記修正周期１Ａが終了するまでＮｏｄｅＢ  Ｂ上での伝送のために以前に受信された設定を利用する。ＵＥは、前記修正周期２Ａ中にＮｏｄｅＢ  Ｂを介した受信を中断し、前記周期中のＮｏｄｅＢ  Ｂ設定エラーを防止する。前記サービス設定が修正周期２Ａ中にＭＵＳＩメッセージに含まれている場合、前記隣接セルに対する設定は、以前に再設定があったかも知れないので、次の修正周期３Ａが開始してから有効であるとみなされる。
【０１５８】
他の解決策として、ＮｏｄｅＢ  ＢのＭＣＣＨの修正周期をＮｏｄｅＢ  ＡのＭＣＣＨでブロードキャストしてＵＥがＮｏｄｅＢ  Ｂの修正周期の境界でのＮｏｄｅＢ  Ｂ  ＭＴＣＨ設定変更を利用できるようにする方法がある。サービスが図１５の修正周期１中にＭＭＳＩメッセージに含まれている場合、ＵＥは、新しい設定が受信されたＮｏｄｅＢ  Ａにおける修正周期が終了した後（１Ａ）、ＮｏｄｅＢ  Ｂ上の修正周期が開始すると（２Ｂ）、隣接セルに関する新しい設定を利用する。前記サービス設定が修正周期２Ａ中にＭＵＳＩメッセージに含まれている場合、前記隣接セルサービス設定は、以前に再設定があったかの知れないので、この設定がＮｏｄｅＢ  Ａで受信された修正周期２Ａ中にＮｏｄｅＢ  Ｂにおける修正周期が開始してから（２Ｂ）有効であるとみなされる。
【０１５９】
再設定された各隣接セルの場合、前記情報は、制御セルや隣接セルに関するＳＦＮを示し、前記ＳＦＮから前記隣接セル再設定が有効となるか、又は、前記ＳＦＮまで隣接セル再設定が有効となる。従って、設定の有効性の開始と終了が非常に正確に考慮される。
【０１６０】
サービスが修正周期（例えば、図１５の２Ａ）中にＭＵＳＩメッセージに含まれている場合、追加情報をＵＥに伝送して以前の修正周期には再設定が全くなかったことを通知することにより、ＵＥが前記サービス設定を直ちに使用できるようにする。
【０１６１】
サービスがＭＭＳＩメッセージに含まれている場合、現在有効な設定がＵＥに伝送できる。これにより、ＵＥは、ＵＥが該当セルに進入する場合、前記設定とともに前記サービスの受信を開始する。
【０１６２】
前記有効性情報は、各隣接セル及び／又はサービスに関する設定情報変更インジケータも含むことができる。
【０１６３】
設定が修正されたか否かを判断するために、前記受信された有効性情報の順序も考慮される。例えば、ＭＵＳＩメッセージに含まれる設定は、前記サービスに対して修正されていないとみなされる。また、ＭＵＳＩメッセージに含まれる設定は、前記設定を読み取るとき、ＮｏｄｅＢ  Ｂにおける前記読み取られた修正周期が終了した後にＮｏｄｅＢ  Ｂの次の修正周期が開始するとき、又はＮｏｄｅＢ  Ａにおける第２修正周期から、有効であるとみなされる。
【０１６４】
ＰｔＭ伝送のための所定サービスにより使用される設定情報は、特に次の設定と関連がある。
【０１６５】
−  Ｓ−ＣＣＰＣＨ設定
−  トランスポートチャネル設定
−  ＭＡＣ設定
−  ＰＤＣＰ設定
−  ＲＬＣ設定
本発明は、１対多サービスを受信する方法を提供するが、前記方法は、ネットワークから１対多サービスデータを伝送する物理チャネルの有効性を示す情報を受信する段階と、前記受信された情報に基づいて前記物理チャネルを設定するための適切なタイミングを決定する段階と、前記決定されたタイミング及び設定の少なくとも１つによって前記物理チャネルを設定する段階と、前記設定された物理チャネルで前記１対多サービスデータを受信する段階とを含む。
【０１６６】
前記適切なタイミングは、タイミング指示に関連する。前記タイミング指示が前記情報に含まれている場合、前記タイミング指示によって１対多サービスデータを受信するための物理チャネルの設定を行い、前記設定を行うための情報は、前記受信された制御メッセージに含まれている。前記タイミング指示が前記情報に含まれていない場合、次の週期に１対多サービスデータを受信するための前記物理チャネルの設定を行い、前記設定を行うための情報は、前記受信された制御メッセージに含まれている。前記設定が未修正のサービスに関するものである場合、１対多サービスを受信するための前記物理チャネルの設定を直ちに行う。
【０１６７】
また、本発明は、１対多サービス提供方法を提供し、前記方法は、１対多サービスデータを伝送する物理チャネルの有効性を判断する段階と、移動端末に前記判断された物理チャネルの有効性を示す情報を伝送する段階と、前記伝送された情報から得られた適切なタイミングに前記移動端末と設定された前記物理チャネルで前記１対多サービスデータを前記移動端末に伝送する段階とを含む。
【０１６８】
前記適切なタイミングは、タイミング指示に関連する。前記タイミング指示が前記情報に含まれている場合、前記タイミング指示によって１対多サービスデータを受信するための前記物理チャネルの設定を行い、前記設定を行うための情報は、前記受信された制御メッセージに含まれている。前記タイミング指示が前記情報に含まれていない場合、次の週期に１対多サービスデータを受信するための前記物理チャネルの設定を行い、前記設定を行うための情報は、前記受信された制御メッセージに含まれている。
【０１６９】
前述された多様な特徴を実行するために、本発明は、様々なタイプのハードウェア及び／又はソフトウェア構成要素（モジュール）を採択できる。例えば、それぞれのハードウェアモジュールは、前記方法の段階を行うために必要な多様な回路と構成要素を含む。また、それぞれのソフトウェアモジュール（プロセッサ及び／又は他のハードウェアにより行われる）は、本発明の方法の段階を行うために必要な多様なコードとプロトコルを含む。
【０１７０】
本明細書は、本発明の多様な実施形態を示す。請求の範囲は、本明細書に記載の実施形態の多様な変形及び同等な修正を含む。従って、請求項は、ここに記載された本発明の精神及び範囲内の変更、同等な構造及び特性を含むように広範囲に解釈されるべきである。
【図面の簡単な説明】
【０１７１】
発明の理解を容易にするために添付され、本明細書の一部を構成する図面は、発明の多様な実施形態を示し、明細書と共に発明の原理を説明するためのものである。
【図１】一般的なＵＭＴＳネットワーク構造を示すブロック図である。
【図２】３ＧＰＰ無線接続ネットワーク標準に準拠した端末とＵＴＲＡＮ間の無線インタフェースプロトコルの構造を示す図である。
【図３】移動端末における論理チャネルのトランスポートチャネルへのマッピングを示す図である。
【図４】ネットワークにおける論理チャネルのトランスポートチャネルへのマッピングを示す図である。
【図５】ネットワークにおける状態及びモード移行の例を示す図である。
【図６】移動端末におけるＭＢＭＳ論理チャネルのＦＡＣＨトランスポートチャネルへのマッピングを示す図である。
【図７】ネットワークにおけるＭＢＭＳ論理チャネルのＦＡＣＨトランスポートチャネルへのマッピングを示す図である。
【図８】ＭＢＭＳ修正サービス情報及びＭＣＣＨで伝送された残りの情報が伝送されるスケジュールを示す図である。
【図９】複数のセルからＭＢＭＳを受信するＵＥを示す図である。
【図１０】従来の制御セルにおけるサービス開始を示す図である。
【図１１】従来の制御セルにおけるＰｔＭ再設定を示す図である。
【図１２】ブランク（ｂｌａｎｋ）ＴＴＩ挿入による隣接セルのＭＣＣＨ再同期化を示す図である。
【図１３】隣接セルにおけるサービスセッション開始を示す図である。
【図１４】隣接セルにおける設定変更の例を示す図である。
【図１５】隣接セルにおける設定変更の例を示す図である。
【図１６】連続的ＭＢＭＳ制御メッセージ及び予め定義された規則によるＵＥのメッセージ解釈を示す図である。
【図１７】制御セルにおける修正周期に関するオフセットを利用したセッション開始を示す図である。
【図１８】制御セルにおけるサービス再設定を示す図である。
【図１】
2008535311.tif 000003
【図２】
2008535311.tif 000004
【図３】
2008535311.tif 000005
【図４】
2008535311.tif 000006
【図５】
2008535311.tif 000007
【図６】
2008535311.tif 000008
【図７】
2008535311.tif 000009
【図８】
2008535311.tif 000010
【図９】
2008535311.tif 000011
【図１０】
2008535311.tif 000012
【図１１】
2008535311.tif 000013
【図１２】
2008535311.tif 000014
【図１３】
2008535311.tif 000015
【図１４】
2008535311.tif 000016
【図１５】
2008535311.tif 000017
【図１６】
2008535311.tif 000018
【図１７】
2008535311.tif 000019
【図１８】
2008535311.tif 000020
【国際調査報告】
2008535311.tif 000021
2008535311.tif 000022